(57)【要約】複数の表示電極対を２個の表示電極対グループＩ、ＩＩに分割し、１フィールドを、壁電圧調整期間と、書込み期間と、維持期間と、を有したＭ個（Ｍは２以上の整数）のサブフィールドＳＦＬ（Ｌ＝１〜Ｍ）に分割し、Ｋ番目のサブフィールドＳＦＫにおける維持期間Ｔ１と、この維持期間Ｔ１とＫ＋１番目のサブフィールドの書込み期間との間の壁電圧調整期間Ｔ２とを用いて、サブフィールドＳＦＫにおいて、Ｔ１＞Ｔ２の場合には維持期間Ｔ１及び壁電圧調整期間Ｔ２を表示電極対グループＩ、ＩＩ毎に設定する第１駆動方式とし、Ｔ１＜Ｔ２の場合には維持期間Ｔ１及び壁電圧調整期間Ｔ２を表示電極対グループＩ、ＩＩ間で同期させて設定する第２駆動方式とする。
2009139163.tif 000002
【特許請求の範囲】
【請求項１】
走査電極と維持電極とから構成された表示電極対が並んで複数配置された第１基板と、前記第１基板と対向するように配置され、かつ複数のデータ電極が並んで複数の前記表示電極対に立体交差するように配置された第２基板とを備え、前記複数の表示電極対と前記複数のデータ電極とが立体交差する位置のそれぞれに放電セルが構成されたプラズマディスプレイパネルの駆動方法であって、
前記複数の表示電極対をＮ（Ｎは２以上の整数）個の表示電極対グループに分割し、
１フィールドを、前記放電セルの書込み放電に備えて前記放電セルの壁電圧を調整する壁電圧調整期間と、画像信号に応じて選択される放電セルを書込み放電させる書込み期間と、書込み放電した放電セルを維持放電させる維持期間と、を有したＭ個（Ｍは２以上の整数）のサブフィールドＳＦＬ（Ｌ＝１〜Ｍ）に分割し、
Ｋ番目のサブフィールドＳＦＫにおける前記維持期間をＴ１と定義し、この維持期間Ｔ１とＫ＋１番目のサブフィールドの前記書込み期間との間の前記壁電圧調整期間をＴ２と定義した場合に、
Ｔ１＞（Ｎ−１）×Ｔ２の場合、前記Ｎ個の表示電極対グループの間で、前記サブフィールドＳＦＫについて前記維持期間及び前記壁電圧調整期間を各表示電極対グループ毎に設定する第１駆動方式とし、
Ｔ１＜（Ｎ−１）×Ｔ２の場合、前記Ｎ個の表示電極対グループの間で、前記サブフィールドＳＦＫについて前記維持期間及び前記壁電圧調整期間を同期させて設定する第２駆動方式とする、プラズマディスプレイパネルの駆動方法。
【請求項２】
Ｋ番目のサブフィールドＳＦＫについて、Ｔ１とＴ２とを比較し、
Ｔ１＞（Ｎ−１）×Ｔ２の場合、前記第１駆動方式を選択し、
Ｔ１＜（Ｎ−１）×Ｔ２の場合、前記第２駆動方式を選択する、請求項１記載のプラズマディスプレイパネルの駆動方法。
【請求項３】
前記第１駆動方式の場合、全ての前記表示電極対グループの前記壁電圧調整期間を除く期間においては、いずれかの前記表示電極対グループにおいて連続して書込み動作を行う、請求項１記載のプラズマディスプレイパネルの駆動方法。
【請求項４】
前記第１駆動方式の場合、いずれかの前記表示電極対グループが前記壁電圧調整期間にある期間においては、残りの全ての前記表示電極対グループにおいて書込み動作を制限する、請求項３記載のプラズマディスプレイパネルの駆動方法。
【請求項５】
前記Ｎ＝２の場合、２つの前記表示電極対グループが、前記プラズマディスプレイパネルの上画面と下画面で分割されて構成される、請求項１記載のプラズマディスプレイパネルの駆動方法。
【請求項６】
前記Ｎ＝２の場合、２つの前記表示電極対グループが、奇数番目の前記表示電極対と偶数番目の前記表示電極対でインターレス分割されて構成される、請求項１記載のプラズマディスプレイパネルの駆動方法。
【請求項７】
Ｌ＝Ｋ番目のサブフィールドＳＦＫにおける前記壁電圧調整期間は、
サブフィールドＳＦＫの前記維持期間で維持放電した前記放電セルを、サブフィールドＳＦＫの前記維持期間の後に消去放電させる消去期間と、
サブフィールドＳＦＫの前記消去期間で消去放電した前記放電セルを、Ｌ＝Ｋ＋１番目のサブフィールドＳＦＫ＋１の最初から初期化放電させる初期化期間と、
を有し、
１フィールドの期間に含まれるＭ個のサブフィールドＳＦＬ（Ｌ＝１〜Ｍ）のそれぞれにおいて、
Ｌ＝Ｋ番目のサブフィールドＳＦＫの維持期間Ｔ１と、前記壁電圧調整期間としてのＬ＝Ｋ番目のサブフィールドＳＦＫの消去期間Ｔ３とＬ＝Ｋ＋１番目のサブフィールドＳＦＫ＋１の初期化期間Ｔ４との和と、を比較し、
Ｔ１＞Ｔ３＋Ｔ４の場合、前記第１駆動方式を選択し、
Ｔ１＜Ｔ３＋Ｔ４の場合、前記第２駆動方式を選択する、
請求項２記載のプラズマディスプレイパネルの駆動方法。
【請求項８】
１フィールドの期間に１回以上、全ての前記放電セルを一斉に初期化放電する全セル初期化期間を有する、請求項１記載のプラズマディスプレイパネルの駆動方法。
【請求項９】
前記全セル初期化期間の直前に配置されるサブフィールドが、１フィールドの期間に含まれるＭ個のサブフィールドＳＦＬ（Ｌ＝１〜Ｍ）の中で輝度重み最小のサブフィールドである、請求項８記載のプラズマディスプレイパネルの駆動方法。
【請求項１０】
前記全セル初期化期間の直後に配置されるサブフィールドが、１フィールドの期間に含まれるＭ個のサブフィールドＳＦＬ（Ｌ＝１〜Ｍ）の中で輝度重み最大のサブフィールドである、請求項９記載のプラズマディスプレイパネルの駆動方法。
【請求項１１】
前記全セル初期化期間の直後に配置されるサブフィールドが、１フィールドの期間に含まれるＭ個のサブフィールドＳＦＬ（Ｌ＝１〜Ｍ）の中で２番目に輝度重みが小さいサブフィールドである、請求項９記載のプラズマディスプレイパネルの駆動方法。
【請求項１２】
前記全セル初期化期間の直後に配置されるサブフィールドが、１フィールドの期間に含まれるＭ個のサブフィールドＳＦＬ（Ｌ＝１〜Ｍ）の中で輝度重み最小のサブフィールドであり、前記全セル初期化期間の直前に配置されるサブフィールドが、２番目に輝度重みが小さいサブフィールドである、請求項８記載のプラズマディスプレイパネルの駆動方法。
【請求項１３】
前記維持期間に維持放電を発生させる維持パルスの立ち上がり時間及び立ち下がり時間を、前記第２駆動方式が選択されたサブフィールドよりも、前記第１駆動方式が選択されたサブフィールドの方を短くする、請求項１記載のプラズマディスプレイパネルの駆動方法。
【請求項１４】
１フィールドの期間に含まれる前記Ｍ個のサブフィールドは、輝度重み付けされており、
前記プラズマディスプレイパネル全体の放電セルで１回の書込み動作を行うために必要な時間をＴｗと定義するとき、
各サブフィールドにおける各表示電極対グループの維持期間が、Ｔｗ×（Ｎ−１）／Ｎ以下の範囲内で、前記Ｍ個のサブフィールドの輝度重みに応じて設定される、請求項１記載のプラズマディスプレイパネルの駆動方法。
【請求項１５】
１フィールドの期間の最初に、全ての前記放電セルを一斉に初期化放電する全セル初期化期間を設定し、且つ各サブフィールドにおける各表示電極対グループの維持期間の後、当該維持期間で放電した放電セルに対して消去放電を発生させる消去期間を設定する、請求項１４記載のプラズマディスプレイパネルの駆動方法。
【請求項１６】
前記全セル初期化期間において、前記複数の表示電極対を構成する各走査電極に対し一括して初期化パルスを印加する、請求項１５記載のプラズマディスプレイパネルの駆動方法。
【請求項１７】
１フィールドの期間に含まれる前記Ｍ個のサブフィールドの中で輝度重みの最も小さいサブフィールドが、１フィールドの期間の最後のサブフィールドに配置される、請求項１４記載のプラズマディスプレイパネルの駆動方法。
【請求項１８】
互いに前後する２つのサブフィールドにおいて、前のサブフィールドに、前記書込み期間と前記維持期間とを有し、かつ前記維持期間と後のサブフィールドの前記書込み期間との間に前記壁電圧調整期間を有する、請求項１記載のプラズマディスプレイパネルの駆動方法。
【請求項１９】
走査電極と維持電極とから構成された表示電極対が並んで複数配置された第１基板と、前記第１基板と対向するように配置され、かつ複数のデータ電極が並んで複数の前記表示電極対に立体交差するように配置された第２基板とを備え、前記複数の表示電極対と前記複数のデータ電極とが立体交差する位置のそれぞれに放電セルが構成されたプラズマディスプレイパネルと、
前記複数の表示電極対をＮ（Ｎは２以上の整数）分割したＮ個の表示電極対グループにそれぞれ属する走査電極を駆動するＮ個の走査電極駆動回路と、
前記Ｎ個の表示電極対グループにそれぞれ属する維持電極を駆動するＮ個の維持電極駆動回路と、
前記複数のデータ電極を駆動するデータ電極駆動回路と、
を有し、更に、
１フィールドを、前記放電セルの書込み放電に備えて前記放電セルの壁電圧を調整する壁電圧調整期間と、画像信号に応じて選択される放電セルを書込み放電させる書込み期間と、書込み放電した放電セルを維持放電させる維持期間と、を有したＭ個（Ｍは２以上の整数）のサブフィールドＳＦＬ（Ｌ＝１〜Ｍ）に分割し、
Ｋ番目のサブフィールドＳＦＫにおける前記維持期間をＴ１と定義し、この維持期間Ｔ１とＫ＋１番目のサブフィールドの前記書込み期間との間の前記壁電圧調整期間をＴ２と定義した場合に、
Ｔ１＞（Ｎ−１）×Ｔ２の場合、前記Ｎ個の表示電極対グループの間で、前記サブフィールドＳＦＫについて前記維持期間及び前記壁電圧調整期間を各表示電極対グループ毎に設定する第１駆動方式とし、Ｔ１＜（Ｎ−１）×Ｔ２の場合、前記Ｎ個の表示電極対グループの間で、前記サブフィールドＳＦＫについて前記維持期間及び前記壁電圧調整期間を同期させて設定する第２駆動方式とするよう、前記Ｎ個の走査電極駆動回路、前記Ｎ個の維持電極駆動回路及び前記データ電極駆動回路を制御する制御回路と、
を有するプラズマディスプレイ装置。
【請求項２０】
前記制御回路は、
１フィールドの期間に含まれるＭ個のサブフィールドＳＦＬ（Ｌ＝１〜Ｍ）毎に、前記維持期間Ｔ１と前記初期化期間Ｔ２を演算する演算部と、
前記Ｍ個のサブフィールドＳＦＬ（Ｌ＝１〜Ｍ）毎に、前記演算部により演算される前記維持期間Ｔ１及び前記初期化期間Ｔ２に基づいて、Ｔ１＞（Ｎ−１）×Ｔ２の場合、前記第１駆動方式を選択し、Ｔ１＜（Ｎ−１）×Ｔ２の場合、前記第２駆動方式を選択する選択部と、
を有する、請求項１９記載のプラズマディスプレイ装置。
【請求項２１】
前記制御回路は、１フィールドに含まれる複数のサブフィールド毎の駆動方式として前記第１駆動方式又は前記第２駆動方式を予め定めておいたルックアップテーブルを有する、請求項１９記載のプラズマディスプレイ装置。
【請求項２２】
前記制御回路は、前記第１駆動方式の場合、全ての前記表示電極対グループの前記壁電圧調整期間を除く期間、いずれかの前記表示電極対グループにおいて連続して書込み動作を行うよう制御する、請求項１９記載のプラズマディスプレイ装置。
【請求項２３】
前記制御回路は、前記第１駆動方式の場合、いずれかの前記表示電極対グループが前記壁電圧調整期間にある期間、残りの全ての前記表示電極対グループにおいて書込み動作を制限するよう制御する、請求項２２記載のプラズマディスプレイ装置。
【請求項２４】
前記制御回路は、前記維持期間に維持放電を発生させる維持パルスの立ち上がり時間及び立ち下がり時間を、前記第２駆動方式のサブフィールドよりも、前記第１駆動方式のサブフィールドの方を短くする、請求項１９記載のプラズマディスプレイ装置。
【請求項２５】
前記制御回路は、
前記プラズマディスプレイパネル全体の放電セルで１回の書込み動作を行うために必要な時間をＴｗと定義するとき、
各サブフィールドにおける各表示電極対グループの維持期間を、Ｔｗ×（Ｎ−１）／Ｎ以下の範囲内で、１フィールドの期間に含まれる前記Ｍ個のサブフィールドの輝度重みに応じて設定する、請求項１９記載のプラズマディスプレイ装置。
【請求項２６】
前記制御回路は、１フィールドの期間の最初に、全ての前記放電セルを一斉に初期化放電する全セル初期化期間を設定し、且つ各サブフィールドにおける各表示電極対グループの維持期間の後に、当該維持期間で放電した放電セルに対して消去放電を発生させる消去期間を設定する、請求項２５記載のプラズマディスプレイ装置。
【請求項２７】
前記走査電極駆動回路は、前記全セル初期化期間において、前記複数の表示電極対を構成する各走査電極に一括して印加する初期化パルスを生成する初期化パルス生成回路を有する、請求項２６記載のプラズマディスプレイ装置。
【請求項２８】
前記制御回路は、１フィールドの期間に含まれる前記Ｍ個のサブフィールドの中で輝度重みの最も小さいサブフィールドが、１フィールドの期間の最後のサブフィールドに配置する、請求項２５記載のプラズマディスプレイ装置。
【請求項２９】
互いに前後する２つのサブフィールドにおいて、前のサブフィールドに、前記書込み期間と前記維持期間とを有し、かつ前記維持期間と後のサブフィールドの前記書込み期間との間に前記壁電圧調整期間を有する、請求項１９記載のプラズマディスプレイ装置。
【発明の詳細な説明】
【技術分野】
【０００１】
本発明は、プラズマディスプレイパネルの駆動方法及びプラズマディスプレイパネルを用いた表示装置であるプラズマディスプレイ装置に関する。
【背景技術】
【０００２】
現在、プラズマディスプレイパネル（以下、「ＰＤＰ」と略記する）を用いた表示装置において、交流面放電型プラズマディスプレイ装置が代表的存在となっている。交流面放電型のＰＤＰには、前面基板と背面基板とを対向配置することにより、多数の放電セルが形成されている。以下、交流面放電型のＰＤＰの構成について説明する。【０００３】
前面基板には、走査電極と維持電極とからなる表示電極対が、行方向に互いに平行に延びるよう複数形成されている。また、前面基板には、誘電体層及び保護層が表示電極対を覆うように積層されて形成されている。【０００４】
背面基板には、列方向にデータ電極が互いに平行に延びるよう複数形成されている。また、背面基板には、誘電体層がデータ電極を覆うように形成され、更にその上には、格子状の隔壁が形成されている。誘電体層の上面と隔壁の側面とからなる空間には、赤色、緑色、青色にそれぞれ発光する蛍光体層が形成されている。【０００５】
上記のように形成された前面基板と背面基板とは、表示電極対とデータ電極とが立体交差するように、微小な放電空間を挟んで対向配置され、その外周部は封着材により封着されている。内部の放電空間には、放電ガスが封入されている。このようにして、表示電極対とデータ電極とが交差する部分には、放電セルが形成される。各放電セル内においては、ガス放電により紫外線を発生させ、この紫外線により各蛍光体を励起発光させて、カラー表示を行う。【０００６】
ＰＤＰの駆動方法としては、１フィールドの期間を、輝度重み付けされた複数のサブフィールドに分割し、発光させるサブフィールドの組み合わせによって階調表示を行うサブフィールド法が用いられる。各サブフィールドは、初期化期間、書込み期間及び維持期間を有する。【０００７】
初期化期間では、表示電極対である走査電極及び維持電極に、所定の電圧を印加して初期化放電を発生させ、次の書込み動作に必要な壁電荷を各電極上に形成する。書込み期間では、走査電極に走査パルスを順次印加するとともに、表示する画像に応じて選択的に放電セルのデータ電極に書込みパルスを印加して書込み放電を発生させ、各電極上に壁電荷を形成する。維持期間では、走査電極と維持電極とからなる表示電極対に交互に維持パルスを印加して輝度重みに応じた時間だけ維持放電を発生させ、対応する放電セルの蛍光体層を発光させることにより画像表示を行う。【０００８】
サブフィールド法の中でも、書込み期間と維持期間とを時間的に完全分離した、書込み・維持分離方式（ＡＤＳ（Address
and Display Separation）方式）が、一般的に用いられている。ＡＤＳ方式の場合、書込み放電を発生させる放電セルと維持放電を発生させる放電セルとが共有するタイミングが存在しないので、書込み期間には書込み放電に最適な条件で、維持期間には維持放電に最適な条件で、ＰＤＰを駆動することができる。そのため、放電制御が比較的簡単であり、また、ＰＤＰの駆動マージンも大きく設定することができる。【０００９】
その反面、ＡＤＳ方式は、書込み期間を除く期間に維持期間を設定するため、ＰＤＰの高精細度化等により書込み期間に要する時間が長くなると、画質を確保するための十分な維持パルス数もしくはサブフィールド数が確保できなくなる。例えば、２１６０ラインあるいは４３２０ラインといった超高精細度のＰＤＰを駆動するには、ＡＤＳ方式の場合、維持パルス数もしくはサブフィールド数を減少しなければ、１フィールドの時間を超えてしまう。【００１０】
そこで、表示電極対を複数のブロックに分けて、複数のブロックのうち２つ以上のブロックの書込み期間が時間的に重ならないように、各ブロックでのサブフィールドの開始時間をずらして設定した駆動方法が開示されている（例えば、特許文献１参照）。
【先行技術文献】
【特許文献】
【００１１】
【特許文献１】特開２００５−１５７３３８号公報
【発明の概要】
【発明が解決しようとする課題】
【００１２】
しかしながら、特許文献１に開示されたような駆動方法の場合、駆動時間はブロック数、走査電極数、サブフィールド数、維持パルス数、書込み放電及び維持放電に要する時間等の諸条件にも依存している。このため、維持パルス数もしくはサブフィールド数を減少しなければ、１フィールドの時間を超えてしまい、十分な維持パルス数もしくはサブフィールド数を確保することができないおそれがある。【００１３】
また、さらなるＰＤＰの高精細度化が進められており、例えば２１６０ラインあるいは４３２０ラインといった超高精細度のパネルを駆動する方法が望まれているが、高精細度化に伴って書込み期間に要する時間もさらに長くなる傾向がある。特許文献１に開示されたような駆動方法の場合、２つ以上のブロックの書込み期間が時間的に重ならないようにするため、同様に、１フィールドの時間を超えてしまい、十分な輝度を確保しながら、サブフィールド数を十分に確保することが困難である。【００１４】
本発明は、このような課題に鑑みてなされたものであり、超大型・超高精細のＰＤＰであっても、十分な画質を確保するのに必要なサブフィールド数を１フィールド内に設定することができ、且つ十分な輝度を確保できるＰＤＰの駆動方法及びプラズマディスプレイ装置を提供することを目的とする。
【課題を解決するための手段】
【００１５】
上記課題を解決するために、本発明に係るプラズマディスプレイパネルの駆動方法は、走査電極と維持電極とから構成された表示電極対が並んで複数配置された第１基板と、前記第１基板と対向するように配置され、かつ複数のデータ電極が並んで複数の前記表示電極対に立体交差するように配置された第２基板とを備え、前記複数の表示電極対と前記複数のデータ電極とが立体交差する位置のそれぞれに放電セルが構成されたプラズマディスプレイパネルの駆動方法であって、前記複数の表示電極対をＮ（Ｎは２以上の整数）個の表示電極対グループに分割し、１フィールドを、前記放電セルの書込み放電に備えて前記放電セルの壁電圧を調整する壁電圧調整期間と、画像信号に応じて選択される放電セルを書込み放電させる書込み期間と、書込み放電した放電セルを維持放電させる維持期間と、を有したＭ個（Ｍは２以上の整数）のサブフィールドＳＦＬ（Ｌ＝１〜Ｍ）に分割し、Ｋ番目のサブフィールドＳＦＫにおける前記維持期間をＴ１と定義し、この維持期間Ｔ１とＫ＋１番目のサブフィールドの前記書込み期間との間の前記壁電圧調整期間をＴ２と定義した場合に、Ｔ１＞（Ｎ−１）×Ｔ２の場合、前記Ｎ個の表示電極対グループの間で、前記サブフィールドＳＦＫについて前記維持期間及び前記壁電圧調整期間を各表示電極対グループ毎に設定する第１駆動方式とし、Ｔ１＜（Ｎ−１）×Ｔ２の場合、前記Ｎ個の表示電極対グループの間で、前記サブフィールドＳＦＫについて前記維持期間及び前記壁電圧調整期間を同期させて設定する第２駆動方式とする。【００１６】
また、上記課題を解決するために、本発明に係るプラズマディスプレイ装置は、走査電極と維持電極とから構成された表示電極対が並んで複数配置された第１基板と、前記第１基板と対向するように配置され、かつ複数のデータ電極が並んで複数の前記表示電極対に立体交差するように配置された第２基板とを備え、前記複数の表示電極対と前記複数のデータ電極とが立体交差する位置のそれぞれに放電セルが構成されたプラズマディスプレイパネルと、前記複数の表示電極対をＮ（Ｎは２以上の整数）分割したＮ個の表示電極対グループにそれぞれ属する走査電極を駆動するＮ個の走査電極駆動回路と、前記Ｎ個の表示電極対グループにそれぞれ属する維持電極を駆動するＮ個の維持電極駆動回路と、前記複数のデータ電極を駆動するデータ電極駆動回路と、を有し、更に、１フィールドを、前記放電セルの書込み放電に備えて前記放電セルの壁電圧を調整する壁電圧調整期間と、画像信号に応じて選択される放電セルを書込み放電させる書込み期間と、書込み放電した放電セルを維持放電させる維持期間と、を有したＭ個（Ｍは２以上の整数）のサブフィールドＳＦＬ（Ｌ＝１〜Ｍ）に分割し、Ｋ番目のサブフィールドＳＦＫにおける前記維持期間をＴ１と定義し、この維持期間Ｔ１とＫ＋１番目のサブフィールドの前記書込み期間との間の前記壁電圧調整期間をＴ２と定義した場合に、
Ｔ１＞（Ｎ−１）×Ｔ２の場合、前記Ｎ個の表示電極対グループの間で、前記サブフィールドＳＦＫについて前記維持期間及び前記壁電圧調整期間を各表示電極対グループ毎に設定する第１駆動方式とし、Ｔ１＜（Ｎ−１）×Ｔ２の場合、前記Ｎ個の表示電極対グループの間で、前記サブフィールドＳＦＫについて前記維持期間及び前記壁電圧調整期間を同期させて設定する第２駆動方式とするよう、前記Ｎ個の走査電極駆動回路、前記Ｎ個の維持電極駆動回路及び前記データ電極駆動回路を制御する制御回路と、を有する。【００１７】
以上の構成によれば、第１駆動方式においては、１つのサブフィールドについて、前記書込み期間、前記維持期間、及び前記壁電圧調整期間を各表示電極対グループ毎に設定するので、当該サブフィールドについて、１つの表示電極対グループにおいて書込みが終了した後、引き続き他の表示電極対グループにおける書込みを行う際にこれと同時に維持放電を行うよう前記書込み期間及び維持期間を設定することにより、十分な画質を確保するのに必要なサブフィールド数を１フィールド内に設定することができ、且つ十分な輝度を確保することができる。一方、次の書込みに備えて壁電圧を調整する観点からは、いずれかの表示電極対グループが壁電圧調整期間にあるときは、残りの表示電極対グループでは書込み動作を制限することが望ましい。この望ましい構成を採用すると、いずれかの表示電極対グループが壁電圧調整期間にあるときに書込み動作を中止することとなり、その中止期間の分、駆動時間が長くなる。その結果、維持期間Ｔ１と壁電圧調整期間Ｔ２とが特定の条件を満たす場合（Ｔ１＞（Ｎ−１）×Ｔ２の場合）にのみ、第１駆動方式の方が、第２駆動方式より駆動時間が短くなる。そこで、維持期間Ｔ１と壁電圧調整期間Ｔ２とが特定の条件（Ｔ１＞（Ｎ−１）×Ｔ２）を満たすか否かに応じて、第１駆動方式又は第２駆動方式とすることにより、駆動時間を短縮することができる。【００１８】
本発明の上記目的、他の目的、特徴、及び利点は、添付図面参照の下、以下の好適な実施態様の詳細な説明から明らかにされる。
【発明の効果】
【００１９】
本発明のプラズマディスプレイパネルの駆動方法、及び、その駆動方法を用いたプラズマディスプレイ装置によれば、超大型・超高精細のＰＤＰであっても、高画質を実現するための十分なサブフィールド数を確保し、十分な輝度を得ることができる。
【図面の簡単な説明】
【００２０】
【図１】図１は本発明の実施の形態１におけるＰＤＰの構造を示す分解斜視図である。
【図２】図２は本発明の実施の形態１におけるＰＤＰの電極配列図である。
【図３】図３は本発明の実施の形態１における駆動電圧波形のサブフィールド構成図である。
【図４】図４は本発明の実施の形態１における第２駆動方式と第１駆動方式の選択方法を説明する図である。
【図５】図５は本発明の実施の形態１におけるＰＤＰの各電極に印加する駆動電圧の波形図である。
【図６】図６は本発明の実施の形態１におけるランプ形状の消去波形を印加する場合の駆動電圧の波形図である。
【図７】図７は本発明の実施の形態１における別の駆動電圧波形のサブフィールド構成図である。
【図８】図８は本発明の実施の形態１における別の駆動電圧波形のサブフィールド構成図である。
【図９】図９は本発明の実施の形態１における別の駆動電圧波形のサブフィールド構成図である。
【図１０】図１０は本発明の実施の形態１における別の駆動電圧波形のサブフィールド構成図である。
【図１１】図１１は本発明の実施の形態１におけるプラズマディスプレイ装置の回路ブロック図である。
【図１２】図１２は本発明の実施の形態１におけるプラズマディスプレイ装置の走査電極駆動回路の回路図である。
【図１３】図１３は本発明の実施の形態１におけるプラズマディスプレイ装置の維持電極駆動回路の回路図である。
【図１４】図１４は本発明の実施の形態２におけるＰＤＰの電極配列図である。
【図１５】図１５は本発明の実施の形態２における駆動電圧波形のサブフィールド構成図である。
【図１６】図１６は本発明の実施の形態４における駆動方法及び表示電極対の数の設定方法について説明する図である。
【図１７】図１７は本発明の実施の形態４における駆動電圧波形のサブフィールド構成図である。
【発明を実施するための形態】
【００２１】
以下、本発明の実施の形態を、図面を参照しながら説明する。
【００２２】
（実施の形態１）
＜ＰＤＰ１０の構成＞
図１は、本発明の実施の形態１に係るＰＤＰ１０の構造を示す分解斜視図である。図１に示すように、ガラス製の前面基板２１（第１基板）上には、走査電極２２と維持電極２３とで構成された表示電極対２４が、複数形成されている。走査電極２２及び維持電極２３は、走査電極２２と維持電極２３との間の放電ギャップで放電を発生させて光を取り出すために、幅の広い透明電極２２ａ及び透明電極２３ａをそれぞれ有する。透明電極２２ａ及び透明電極２３ａの上には、幅の狭いバス電極２２ｂ及びバス電極２３ｂが、上記放電ギャップから遠い位置にそれぞれ積層されている。また、前面基板２１上には、走査電極２２と維持電極２３を覆うように、誘電体層２５及び保護層２６が積層されて形成されている。
【００２３】
背面基板３１（第２基板）上には、データ電極３２が互いに平行になるよう複数形成されている。また、背面基板３１上には、データ電極３２を覆うように、誘電体層３３が形成され、さらにその上には、格子状の隔壁３４が形成されている。誘電体層３３の上面と隔壁３４の側面とからなる空間には、赤色、緑色、青色にそれぞれ発光する蛍光体層３５が設けられている。
【００２４】
上記のようにして形成された前面基板２１と背面基板３１とは、表示電極対２４とデータ電極３２とが立体交差する（以下、「交差する」と略記する場合がある）ように、微小な放電空間を挟んで対向配置され、その外周部は、ガラスフリット等の封着材により封着されている。内部の放電空間には、例えば、ネオン、アルゴン、キセノンといった希ガスあるいはそれらの混合ガスが、放電ガスとして封入され、隔壁３４により複数の空間に区画されている。このようにして、本実施の形態１に係るＰＤＰ１０が構成され、表示電極対２４とデータ電極３２とが交差する部分に、放電セルが形成される。各放電セル内においては、ガス放電により発生させた紫外線で各蛍光体を励起発光させて、カラー表示を行う。なお、ＰＤＰ１０の構造は上述したものに限られることはなく、例えば、ストライプ状の隔壁３４を備えたものであってもよい。
【００２５】
図２は、本発明の実施の形態１におけるＰＤＰ１０の電極配列図である。図２に示すように、本実施の形態１におけるＰＤＰ１０には、走査電極２２（ＳＣ１〜ＳＣ２１６０）及び維持電極２３（ＳＵ１〜ＳＵ２１６０）が行方向に延びるように配置され、データ電極３２（Ｄ１〜Ｄｍ）が行方向に直交する列方向に延びるように配列されている。図２において、放電セルは、例えば、一対の走査電極ＳＣ２及び維持電極ＳＵ２と、１つのデータ電極Ｄ２とが交差した部分に形成されており、全体としては放電空間内にｍ×２１６０個形成されている。なお、本実施の形態１において、表示電極対２４の数を２１６０本としたが、これに限られることはなく、特に制限はない。
【００２６】
走査電極ＳＣ１〜ＳＣ２１６０及び維持電極ＳＵ１〜ＳＵ２１６０からなる表示電極対２４（２１６０対）は、複数の表示電極対グループに分けられる。図２に示すように、本実施の形態１においては、ＰＤＰ１０を上下方向に２分割して、上半分に位置する表示電極対２４（走査電極ＳＣ１〜ＳＣ１０８０及び維持電極ＳＵ１〜ＳＵ１０８０）を第１の表示電極対グループＩ、下半分に位置する表示電極対２４（走査電極ＳＣ１０８１〜ＳＣ２１６０及び維持電極ＳＵ１０８１〜ＳＵ２１６０）を第２の表示電極対グループIIとする。なお、表示電極対グループの数Ｎの決め方については後述する。また、本実施の形態１においては、ＰＤＰ１０を上下２分割して２つの表示電極対グループに分けたが、２つの表示電極対グループを奇数番目と偶数番目でインターレス分割してもよい。すなわち、走査電極ＳＣ１、ＳＣ３、・・・ＳＣ２１５９および維持電極ＳＵ１、ＳＵ３、・・・ＳＵ２１５９を第１の表示電極対グループＩとし、走査電極ＳＣ２、ＳＣ４、・・・ＳＣ２１６０および維持電極ＳＵ２、ＳＵ４、・・・ＳＵ２１６０を第２の表示電極対グループＩＩとしてもよい（図示せず）。インターレス分割の場合、表示電極対グループ毎の輝度差が緩和されて画質が向上するので好ましい。
【００２７】
＜ＰＤＰ１０の駆動方法＞
図３は、本発明の実施の形態１におけるＰＤＰ１０の走査電極ＳＣ１〜ＳＣ２１６０に印加する際の駆動電圧波形のサブフィールド構成図である。なお、本実施の形態１においては、１フィールドの時間（期間）を例えば、１６．７ｍｓとする。１フィールドの期間は、輝度重み付けされたＭ個（Ｍは２以上の整数）のサブフィールドＳＦＬ（Ｌ＝１〜Ｍ）に分割されている。図３に示す例では、１フィールドに１０個のサブフィールドＳＦ１〜ＳＦ１０が含まれる場合である。
【００２８】
各サブフィールドは、初期化期間、書込み期間、消去期間、及び維持期間を有する。初期化期間は、初期化放電を発生させて次の書込み動作に必要な壁電圧（壁電荷）を各電極上に形成する期間である。書込み期間は、表示する画像に応じて選択的に書込み放電を発生させて各電極上に次の維持放電に必要な壁電圧（壁電荷）を形成する期間である。維持期間は、輝度重みに応じた時間だけ維持放電を発生させる期間である。消去期間は、消去放電を発生させて不要な壁電圧（壁電荷）を消去する期間である。
【００２９】
ここで、消去期間と初期化期間との機能（役割）を考察すると、これらの期間はあるサブフィールドの維持期間と次のサブフィールドの書込み期間との間において、次の書込み動作に備えて（次の書込み動作が適切に行えるように）壁電圧（壁電荷）を調整する期間であるとみなすことができる。そこで、本発明では、あるサブフィールドの維持期間と次のサブフィールドの書込み期間との間の期間を「壁電圧調整期間」と定義する。換言すると、あるサブフィールドの維持期間と次のサブフィールドの書込み期間との間に位置し、次の書込み動作に備えて（次の書込み動作が適切に行えるように）壁電圧（壁電荷）を調整する期間を「壁電圧調整期間」と定義する。図３に示す例では、消去期間とこれに続く初期化期間とが壁電圧調整期間に相当する。サブフィールドは、消去期間を省略するよう構成することができる。この場合には、壁電圧調整期間は、実質的に初期化期間のみよって構成され、かつサブフィールドの先頭に位置する。また、サブフィールドは、消去期間から初期化期間に徐々に移行し、両者の境界が判然としないように構成することができる。この場合には、壁電圧調整期間は互いに前後する２つのサブフィールドに跨って位置する。さらに、サブフィールドは、消去期間と初期化期間とが時系列的に重複して（部分的又は全部重複して）遂行されるよう構成し、あるいは消去期間と初期化期間とが混然かつ一体的に遂行されるよう構成することができる。これらの場合には、壁電圧調整期間は互いに前後する２つのサブフィールドに跨って位置し、あるいはサブフィールドの先頭に位置する。
【００３０】
図３に示すように、本実施の形態１におけるＰＤＰ１０の駆動方法では、第１の表示電極対グループＩと第２の表示電極対グループIIとの間で、少なくとも維持期間と壁電圧調整期間とを同期させるサブフィールド（ＳＦ７〜ＳＦ１０）が存在する。つまり、かかるサブフィールドの中で書込み期間、維持期間、及び壁電圧調整期間が時間的に完全に分離している。このようなサブフィールドの駆動方式のことを第２駆動方式と呼ぶ。
【００３１】
第２駆動方式以外のサブフィールド（ＳＦ１〜ＳＦ６）では、第１の表示電極対グループＩと第２の表示電極対グループIIとの間で、維持期間と壁電圧調整期間とを各表示電極対グループ毎に配置している。さらに、かかるサブフィールドでは、壁電圧調整期間を除く期間において、いずれかの表示電極対グループにおいて連続して書込み動作を行うように、書込み期間を配置している。このようなサブフィールドの駆動方式のことを第１駆動方式と呼ぶ。なお、第１駆動方式及び第２駆動方式いずれの駆動方式であっても、いずれかの表示電極対グループが壁電圧調整期間にある期間は、書込み動作を禁止（制限）している。
【００３２】
第１駆動方式又は第２駆動方式の選択は、維持期間の長さと、当該維持期間と次のサブフィールドの書込み期間との間の壁電圧調整期間の長さとを、１フィールド中のサブフィールド毎に比較し、駆動時間が短縮される方式を選択する。尚、以下の実施の形態の説明では、壁電圧調整期間が消去期間と初期化期間とで構成される、すなわち、壁電圧調整期間＝消去期間＋初期化期間である例を説明する。
【００３３】
図４は、本発明の実施の形態１における第１駆動方式又は第２駆動方式の選択を説明する図である。図４に示す第２駆動方式によるサブフィールドの駆動時間を（式１）で、第１駆動方式によるサブフィールドの駆動時間を（式２）で表すことができる。なお、このサブフィールドの駆動時間は、あるサブフィールドの書込み期間の開始から当該サブフィールドの維持期間と次のサブフィールドの書込み期間との間の壁電圧調整期間の終了までの時間で表す。
【００３４】
（式１）第２駆動方式による駆動時間＝書込み期間＋維持期間＋壁電圧調整期間
（式２）第１駆動方式による駆動時間＝書込み期間＋壁電圧調整期間×２
上記より、第２駆動方式による駆動時間と第１駆動方式による駆動時間との差を（式３）で表すことができる。
【００３５】
（式３）駆動時間差＝維持期間（Ｔ１）−壁電圧調整期間（Ｔ２）
この結果、維持期間（Ｔ１）が壁電圧調整期間（Ｔ２）よりも長い場合には第１駆動方式を、維持期間（Ｔ１）が壁電圧調整期間（Ｔ２）より短い場合は第２駆動方式を選択することによって、サブフィールドの駆動時間を短縮することができる。
【００３６】
なお、正確には（式１）と（式２）とが対象とする壁電圧調整期間は異なる。ただし、各壁電圧調整期間の長さは、後述する全セル初期化期間以外、ほぼ同じである。また、ここでは、壁電圧調整期間（Ｔ２）＝消去期間（Ｔ３）＋初期化期間（Ｔ４）である。
【００３７】
＜第１駆動方式又は第２駆動方式を選択することによる具体的効果＞
ランプ形状の消去放電の波形と初期化放電の波形の場合、壁電圧調整期間（消去期間＋初期化期間）が１５５μｓ必要となる。このため、維持パルス幅を５μｓとすると、維持パルスが３１発以下のサブフィールドは第２駆動方式が選択され、維持パルスが３２発以上のサブフィールドは第１駆動方式が選択される。なお、第２駆動方式も第１駆動方式も駆動時間差がない場合は、どちらを選択してもよい。
【００３８】
例えば、Ｎｅ９０％、Ｘｅ１０％程度の放電ガスを用いるＰＤＰで十分な輝度を得るには、１フィールドに維持パルスが７６５発ほど必要である。このときの各サブフィールドの維持パルスの数は、ＳＦ１からＳＦ１０の順に「２４２」、「１７９」、「１３１」、「９０」、「５４」、「３３」、「１８」、「９」、「６」、「３」となる。したがって、ＳＦ１〜ＳＦ１０がすべて第１駆動方式である場合と対比して、維持パルスが３１発以下であるＳＦ７〜ＳＦ１０を第２駆動方式にすることで、駆動時間を４２５μｓ短縮することができる。
【００３９】
なお、放電ガスとしてＸｅ分圧比が高いＰＤＰを使用する場合、又は、シネマモードや電力削減モードなど十分な輝度を必要としない場合は、維持パルスの数を減少させることができるため、第２駆動方式を選択することができるサブフィールドが増加し、駆動時間をさらに短縮することができる。この結果、短縮した駆動時間分を、駆動マージンや画質の向上に使用することができる。  
【００４０】
＜ＰＤＰ１０の駆動方法の具体例＞
図３を用いて、本実施の形態１におけるＰＤＰ１０の駆動方法を説明する。なお、図３では、１フィールドの期間をＳＦ１〜ＳＦ１０に分割しているが、これに限られることはない。
【００４１】
図３に示すように、まず、１フィールドの最初のサブフィールド（ＳＦ１）に、全セル初期化期間を設け、全ての放電セルを一斉に初期化放電する。
【００４２】
次に、第１の表示電極対グループＩでは、走査電極ＳＣ１〜ＳＣ１０８０に走査パルスを順次印加して、ＳＦ１における書込み期間を開始する。このとき、連続して書込み動作が行われるように、走査パルスを可能な限り短く、かつ、可能な限り連続して印加することが望ましい。一方、第２の表示電極対グループIIは、第１の表示電極対グループＩの書込み期間の間、詳細については後述するが、放電の発生しない休止期間となる。
【００４３】
第１の表示電極対グループＩのＳＦ１における書込み期間終了後、ＳＦ１の維持期間とこの維持期間と次のサブフィールドの書込み期間との間の壁電圧調整期間、すなわち、（ＳＦ１の消去期間＋ＳＦ２の初期化期間）とを比較する。図３の場合では、ＳＦ１の維持期間の方が長いため、第１駆動方式を選択する。したがって、第１の表示電極対グループＩではＳＦ１における維持期間を開始するとともに、第２の表示電極対グループIIではＳＦ１における書込み期間を開始する。
【００４４】
第１の表示電極対グループＩでは、ＳＦ１における維持期間が終了すると消去期間へと移り、維持期間で放電した放電セルに対して消去放電を発生させる。消去期間終了後には、ＳＦ２における初期化期間を開始し、次の書込み動作に向けた初期化放電を発生させる。
【００４５】
一方、第２の表示電極対グループIIでは、第１の表示電極対グループＩの壁電圧調整期間、すなわち、消去期間及び初期化期間の間、書込み動作を停止する。すなわち、本実施の形態１では、第１の表示電極対グループＩと第２の表示電極対グループIIのいずれかが壁電圧調整期間（消去期間及び初期化期間）に該当するときは、書込み動作を停止する。これは、消去期間及び初期化期間は壁電圧を消去するだけでなく、次の書込み期間の書込み動作に備えて、データ電極上の壁電圧を調整する期間でもあるため、データ電極の電圧を固定しておいた方がよいからである。
【００４６】
第１の表示電極対グループＩのＳＦ２における初期化期間終了後、第２の表示電極対グループIIでは、ＳＦ１における書込み動作を再開する。そして、第２の表示電極対グループIIのＳＦ１における書込み動作終了後、第１の表示電極対グループＩでは、ＳＦ２における書込み動作を開始するとともに、第２の表示電極対グループIIでは、ＳＦ１における維持期間を開始する。
【００４７】
第２の表示電極対グループIIでは、ＳＦ１における維持期間が終了すると消去期間へと移り、維持期間で放電した放電セルに対して消去放電を発生させる。消去期間終了後には、ＳＦ２における初期化期間を開始し、次の書込み動作に向けた初期化放電を発生させる。
【００４８】
上述したように、第１の表示電極対グループＩでは、第２の表示電極対グループIIの壁電圧調整期間、すなわち、消去期間及び初期化期間の間、書込み動作を停止する。そして、第２の表示電極対グループIIのＳＦ２における初期化期間終了後、第１の表示電極対グループＩでは、ＳＦ２における書込み動作を再開する。
【００４９】
こうして、全セル初期化期間から第１の表示電極対グループＩのＳＦ７における書込み期間終了まで、上記の第１駆動方式における動作を繰り返す。
【００５０】
第１の表示電極対グループＩのＳＦ７における書込み期間終了後、ＳＦ７の維持期間とこの維持期間と次のサブフィールドの書込み期間との間の壁電圧調整期間（ＳＦ７の消去期間＋ＳＦ８の初期化期間）とを比較する。図３の場合では、ＳＦ７の維持期間の方が短いため、第２駆動方式を選択する。したがって、第２の表示電極対グループIIのＳＦ７における書込み期間が終了するのを待って、第１の表示電極対グループＩ及び第２の表示電極対グループIIの間で、ＳＦ７の維持期間を同期させて開始する。そして、ＳＦ７〜ＳＦ１０の維持期間は壁電圧調整期間よりも短いため、ＳＦ７の維持期間からＳＦ１０の消去期間終了まで第２駆動方式が選択されて、１フィールドが終了する。
【００５１】
＜ＰＤＰ１０の駆動電圧波形の詳細とその動作＞
図５は、本発明の実施の形態１におけるＰＤＰ１０の各電極に印加する駆動電圧の波形図である。上述したように、本実施の形態１においては、１フィールドの最初のサブフィールド（ＳＦ１）に、全ての放電セルで初期化放電を発生させる全セル初期化期間を設けている。また、第１の表示電極対グループＩ及び第２の表示電極対グループIIの各サブフィールドにおける維持期間の後に、維持期間で放電した放電セルに対して消去放電を発生させる消去期間と、次のサブフィールドで初期化放電を発生させる初期化期間を設けている。なお、図５では、ＳＦ１を第１駆動方式による駆動、ＳＦ２を第２駆動方式による駆動とした場合を示しているが、これに限られることはない。
【００５２】
図５に示すように、全セル初期化期間では、まず、データ電極Ｄ１〜Ｄｍ及び維持電極ＳＵ１〜ＳＵ２１６０にそれぞれ０Ｖを印加する。走査電極ＳＣ１〜ＳＣ２１６０には、維持電極ＳＵ１〜ＳＵ２１６０とデータ電極Ｄ１〜Ｄｍに対して放電開始電圧以下の電圧Ｖ１から放電開始電圧を超える電圧Ｖ２に向かって緩やかに上昇する傾斜波形電圧を印加する。この傾斜波形電圧が上昇する間、走査電極ＳＣ１〜ＳＣ２１６０と維持電極ＳＵ１〜ＳＵ２１６０との間、及び、走査電極ＳＣ１〜ＳＣ２１６０とデータ電極Ｄ１〜Ｄｍとの間で、微弱な初期化放電が発生する。これにより、走査電極ＳＣ１〜ＳＣ２１６０上には、負の壁電圧が蓄積されるとともに、データ電極Ｄ１〜Ｄｍ上及び維持電極ＳＵ１〜ＳＵ２１６０上には、正の壁電圧が蓄積される。ここで、電極上の壁電圧とは、電極を覆う誘電体層上、保護層上、蛍光体層上等に蓄積された壁電荷により生じる電圧を表す。なお、この期間はデータ電極Ｄ１〜Ｄｍに電圧Ｖｄを印加してもよい。
【００５３】
次に、データ電極Ｄ１〜Ｄｍに電圧０（Ｖ）を印加し、維持電極ＳＵ１〜ＳＵ２１６０には、正の電圧Ｖｅ１を印加する。走査電極ＳＣ１〜ＳＣ２１６０には、維持電極ＳＵ１〜ＳＵ２１６０とデータ電極Ｄ１〜Ｄｍに対して放電開始電圧以下となる電圧Ｖ３から放電開始電圧を超える電圧Ｖ４に向かって緩やかに下降する傾斜波形電圧を印加する。この傾斜波形電圧が下降する間、走査電極ＳＣ１〜ＳＣ２１６０と維持電極ＳＵ１〜ＳＵ２１６０との間、及び、走査電極ＳＣ１〜ＳＣ２１６０とデータ電極Ｄ１〜Ｄｍとの間で、微弱な初期化放電が発生する。これにより、走査電極ＳＣ１〜ＳＣ２１６０上の負の壁電圧及び維持電極ＳＵ１〜ＳＵ２１６０上の正の壁電圧が弱められるとともに、データ電極Ｄ１〜Ｄｍ上の正の壁電圧は書込み動作に適した値に調整される。
【００５４】
その後、走査電極ＳＣ１〜ＳＣ２１６０に電圧Ｖｃを印加して、全ての放電セルに対して初期化放電を行う初期化動作を終了する。
【００５５】
全セル初期化期間終了後、第１の表示電極対グループＩでは、ＳＦ１における書込み期間を開始する。この書込みは、シングルスキャン方式で、以下のように１０８０ラインに順次書込みを行う。具体的には、維持電極ＳＵ１〜ＳＵ１０８０には、正の電圧Ｖｅ２を印加する。１ライン目の走査電極ＳＣ１には、負の電圧Ｖａを持つ走査パルスを印加するとともに、発光させるべき放電セルのデータ電極Ｄｋ（ｋは１〜ｍのいずれか）には、正の電圧Ｖｄを持つ書込みパルスを印加する。この時、データ電極Ｄｋと走査電極ＳＣ１との交差部の電圧差は、外部印加電圧の差（書込みパルス電圧Ｖｄ−走査パルス電圧Ｖａ）にデータ電極Ｄｋ上の壁電圧と走査電極ＳＣ１上の壁電圧との差を加算したものとなり、放電開始電圧を超える。これにより、データ電極Ｄｋと走査電極ＳＣ１との間で放電が開始されて、後に維持電極ＳＵ１と走査電極ＳＣ１との間の放電へと進展し、書込み放電が発生する。その結果、走査電極ＳＣ１上には、正の壁電圧が蓄積され、維持電極ＳＵ１上及びデータ電極Ｄｋ上には、負の壁電圧が蓄積される。
【００５６】
一方、書込みパルス電圧Ｖｄを印加しなかったデータ電極と走査電極ＳＣ１との交差部の電圧は、放電開始電圧を超えないので、書込み放電は発生しない。
【００５７】
次に、２ライン目の走査電極ＳＣ２に走査パルス電圧Ｖａを印加するとともに、発光させるべき放電セルのデータ電極Ｄｋに書込みパルス電圧Ｖｄを印加する。この時、走査パルス電圧Ｖａと書込みパルス電圧Ｖｄとが同時に印加された２ライン目の放電セルでは、書込み放電が発生し、書込み動作が行われる。
【００５８】
上記書込み動作を第１の表示電極対グループＩに属する１０８０ライン目の放電セルに至るまで繰り返し、発光させるべき放電セルに対して選択的に書込み放電を発生させて、各電極上に壁電荷を形成する。
【００５９】
第１の表示電極対グループＩの書込み期間の間、第２の表示電極対グループIIに属する走査電極ＳＣ１０８１〜ＳＣ２１６０には電圧Ｖｃが、維持電極ＳＵ１０８１〜ＳＵ２１６０には電圧Ｖｅ１が、それぞれ印加されたままで、放電の発生しない休止期間となる。
【００６０】
ＳＦ１における１０８０ライン目の走査電極ＳＣ１０８０への書込み動作終了後、ＳＦ１の維持期間とこの維持期間と次のサブフィールドの書込み期間との間の壁電圧調整期間（ＳＦ１の消去期間＋ＳＦ２の初期化期間）とを比較する。例えば、ＳＦ１の維持パルスが９０発とすると、ＳＦ１の維持期間は９０×５μｓ＝４５０μｓ、壁電圧調整期間（ＳＦ１の消去期間＋ＳＦ２の初期化期間）は１５０μｓであって、ＳＦ１の維持期間の方が長い。したがって、第１駆動方式を選択して、第１の表示電極対グループＩではＳＦ１における維持期間を、第２の表示電極対グループIIではＳＦ１における書込み期間を、同時に開始する。
【００６１】
第１の表示電極対グループＩのＳＦ１における維持期間では、走査電極ＳＣ１〜ＳＣ１０８０及び維持電極ＳＵ１〜ＳＵ１０８０に、例えば、９０発の維持パルスを交互に印加して、書込み放電を行った放電セルを発光させる。維持期間の具体的な動作は、以下の通りである。
【００６２】
まず、走査電極ＳＣ１〜ＳＣ１０８０に正の電圧Ｖｓを持つ維持パルスを印加するとともに、維持電極ＳＵ１〜ＳＵ１０８０に０Ｖを印加する。この時、書込み放電を発生させた放電セルでは、走査電極ＳＣｉ（ｉは１〜１０８０のいずれか）と維持電極ＳＵｉ（ｉは１〜１０８０のいずれか）との電圧差が、維持パルス電圧Ｖｓに走査電極ＳＣｉ上の壁電圧と維持電極ＳＵｉ上の壁電圧との差を加算したものとなり、放電開始電圧を超える。これにより、走査電極ＳＣｉと維持電極ＳＵｉとの間で維持放電が発生し、放電ガスを励起する。励起された放電ガスが安定状態に遷移する時に発生した紫外線により、蛍光体層３５が発光する。その結果、走査電極ＳＣｉ上には、負の壁電圧が蓄積され、維持電極ＳＵｉ上には、正の壁電圧が蓄積される。
【００６３】
一方、書込み期間において、書込み放電を発生させなかった放電セルでは、維持放電は発生せず、初期化期間の終了時における各電極上の壁電圧が保たれる。
【００６４】
次に、走査電極ＳＣ１〜ＳＣ１０８０に０Ｖを印加し、維持電極ＳＵ１〜ＳＵ１０８０に正の維持パルス電圧Ｖｓを印加する。この時、維持放電を発生させた放電セルでは、維持電極ＳＵｉと走査電極ＳＣｉとの電圧差が放電開始電圧を超えるので、再び維持電極ＳＵｉと走査電極ＳＣｉとの間で維持放電が発生する。その結果、維持電極ＳＵｉ上には、負の壁電圧が蓄積され、走査電極ＳＣｉ上には、正の壁電圧が蓄積される。
【００６５】
以降同様に、走査電極ＳＣ１〜ＳＣ１０８０と維持電極ＳＵ１〜ＳＵ１０８０とに交互に維持パルス電圧Ｖｓを印加して、走査電極ＳＣ１〜ＳＣ１０８０と維持電極ＳＵ１〜ＳＵ１０８０との間に電位差を与えることにより、書込み期間において書込み放電を発生させた放電セルで、維持放電が継続して行われる。
【００６６】
維持期間終了後の消去期間では、走査電極ＳＣ１〜ＳＣ１０８０と維持電極ＳＵ１〜ＳＵ１０８０との間に、いわゆる細幅パルス状の電圧差を与えて、データ電極Ｄｋ上の正の壁電圧を残したまま、走査電極ＳＣｉ上及び維持電極ＳＵｉ上の壁電圧を消去する。本実施の形態１では、走査電極ＳＣ１〜ＳＣ１０８０に電圧Ｖｓを印加した後すぐに維持電極ＳＵ１〜ＳＵ１０８０に電圧Ｖｅ１を印加することによって消去放電を実現している。
【００６７】
消去期間終了後、第１の表示電極対グループＩでは、ＳＦ２における初期化期間を開始する。維持電極ＳＵ１〜ＳＵ１０８０には、正の電圧Ｖｅ１を印加し、走査電極ＳＣ１〜ＳＣ１０８０には、電圧Ｖｓから電圧Ｖ４に向かって緩やかに下降する傾斜波形電圧を印加する。この傾斜波形電圧が下降する間、走査電極ＳＣ１〜ＳＣ１０８０と維持電極ＳＵ１〜ＳＵ１０８０との間、及び、走査電極ＳＣ１〜ＳＣ１０８０とデータ電極Ｄ１〜Ｄｍとの間で、微弱な初期化放電が発生する。これにより、走査電極ＳＣ１〜ＳＣ１０８０上の負の壁電圧及び維持電極ＳＵ１〜ＳＵ１０８０上の正の壁電圧が弱められるとともに、データ電極Ｄ１〜Ｄｍ上の正の壁電圧は書込み動作に適した値に調整される。
【００６８】
その後、走査電極ＳＣ１〜ＳＣ１０８０に電圧Ｖｃを印加して、ＳＦ１で維持放電した放電セルに対して初期化放電を行う初期化動作を終了する。
【００６９】
第２の表示電極対グループIIのＳＦ１における書込み期間では、維持電極ＳＵ１０８１〜ＳＵ２１６０に正の電圧Ｖｅ２を印加する。第２の表示電極対グループIIの１ライン目となる走査電極ＳＣ１０８１には、負の電圧Ｖａを持つ走査パルスを印加するとともに、発光させるべき放電セルのデータ電極Ｄｋ（ｋは１〜ｍのいずれか）には、正の電圧Ｖｄを持つ書込みパルスを印加する。この時、データ電極Ｄｋと走査電極ＳＣ１０８１との交差部の電圧差は、外部印加電圧の差（書込みパルス電圧Ｖｄ−走査パルス電圧Ｖａ）にデータ電極Ｄｋ上の壁電圧と走査電極ＳＣ１０８１上の壁電圧との差を加算したものとなり、放電開始電圧を超える。これにより、データ電極Ｄｋと走査電極ＳＣ１０８１との間で放電が開始されて、後に維持電極ＳＵ１０８１と走査電極ＳＣ１０８１との間の放電へと進展し、書込み放電が発生する。その結果、走査電極ＳＣ１０８１上には、正の壁電圧が蓄積され、維持電極ＳＵ１０８１上及びデータ電極Ｄｋ上には、負の壁電圧が蓄積される。
【００７０】
次に、第２の表示電極対グループIIの２ライン目となる走査電極ＳＣ１０８２に走査パルス電圧Ｖａを印加するとともに、発光させるべき放電セルのデータ電極Ｄｋに書込みパルス電圧Ｖｄを印加する。この時、走査パルス電圧Ｖａと書込みパルス電圧Ｖｄとが同時に印加された１０８２ライン目（第２の表示電極対グループIIにおける２ライン目）の放電セルでは、書込み放電が発生し、書込み動作が行われる。
【００７１】
上記書込み動作を第２の表示電極対グループIIに属する２１６０ライン目の放電セルに至るまで繰り返し、発光させるべき放電セルに対して選択的に書込み放電を発生させて、各電極上に壁電荷を形成する。
【００７２】
上述したように、本実施の形態１では、第１の表示電極対グループＩと第２の表示電極対グループIIのいずれかが、壁電圧調整期間（消去期間及び初期化期間）に該当するときは、書込み動作を停止する。これは、壁電圧調整期間（消去期間及び初期化期間）は壁電圧を消去するだけでなく、次の書込み期間の書込み動作に備えて、データ電極上の壁電圧を調整する期間でもあるため、データ電極の電圧を固定しておいた方がよいからである。したがって、第１の表示電極対グループＩのＳＦ２における初期化期間が終了するのを待って、第２の表示電極対グループIIでは、ＳＦ１における書込み動作を再開し、２１６０ライン目の放電セルに至るまで、上記動作を繰り返す。
【００７３】
ＳＦ２における初期化期間を終了した第１の表示電極対グループＩの書込み期間では、ＳＦ１の書込み期間と同様、維持電極ＳＵ１〜ＳＵ１０８０には、正の電圧Ｖｅ２を印加する。走査電極ＳＣ１〜ＳＣ１０８０には、走査パルス電圧Ｖａを順次印加するとともに、発光させるべき放電セルのデータ電極Ｄｋには、書込みパルス電圧Ｖｄを印加する。これにより、１〜１０８０ライン目の放電セルで書込み動作が行われる。
【００７４】
上記第１の表示電極対グループＩのＳＦ２における書込み期間と同時に、第２の表示電極対グループIIでは、ＳＦ１における維持期間を開始する。具体的には、走査電極ＳＣ１０８１〜ＳＣ２１６０及び維持電極ＳＵ１０８１〜ＳＵ２１６０に、例えば、９０発の維持パルスを交互に印加して、書込み放電を行った放電セルを発光させる。維持期間終了後には消去期間、消去期間終了後にはＳＦ２における初期化期間を順次開始する。
【００７５】
上述したように、第２の表示電極対グループIIが壁電圧調整期間（消去期間及び初期化期間）に該当するとき、第１の表示電極対グループＩでは、ＳＦ２における書込み動作を停止する。第２の表示電極対グループIIのＳＦ２における初期化期間終了後、第１の表示電極対グループＩでは、ＳＦ２における書込み動作を再開し、１０８０ライン目の放電セルに至るまで、上記動作を繰り返す。
【００７６】
なお、第２の表示電極対グループIIの維持期間、消去期間、及び、初期化期間の詳細な動作については、第１の表示電極対グループＩと同様であるので、説明を省略する。
【００７７】
第１の表示電極対グループＩのＳＦ２における走査電極ＳＣ１〜ＳＣ１０８０への書込み動作終了後、ＳＦ２の維持期間とこの維持期間と次のサブフィールドの書込み期間との間の壁電圧調整期間（ＳＦ２の消去期間＋ＳＦ３の初期化期間）とを比較する。例えば、ＳＦ２の維持パルスが９発とすると、ＳＦ２の維持期間は９×５μｓ＝４５μｓ、壁電圧調整期間（ＳＦ２の消去期間＋ＳＦ３の初期化期間）は１５０μｓであって、ＳＦ２の維持期間の方が短い。したがって、第２駆動方式を選択し、第２の表示電極対グループIIでは、ＳＦ２における書込み期間を続行する。
【００７８】
第２の表示電極対グループIIのＳＦ２における書込み動作が２１６０ライン目の放電セルまで終了した後、全ての放電セルに対して一斉に維持期間を開始する。すなわち、走査電極ＳＣ１〜ＳＣ２１６０及び維持電極ＳＵ１〜ＳＵ２１６０に、９発の維持パルスを交互に印加して、書込み放電を行った放電セルを発光させる。
【００７９】
維持期間終了後の消去期間では、走査電極ＳＣ１〜ＳＣ２１６０と維持電極ＳＵ１〜ＳＵ２１６０との間に、いわゆる細幅パルス状の電圧差を与えて、データ電極Ｄｋ上の正の壁電圧を残したまま、走査電極ＳＣｉ上及び維持電極ＳＵｉ上の壁電圧を消去する。
【００８０】
消去期間終了後、ＳＦ３における初期化期間を開始する。維持電極ＳＵ１〜ＳＵ２１６０に、正の電圧Ｖｅ１を印加し、走査電極ＳＣ１〜ＳＣ２１６０には、電圧Ｖｓから電圧Ｖ４に向かって緩やかに下降する傾斜波形電圧を印加する。この傾斜波形電圧が下降する間、走査電極ＳＣ１〜ＳＣ２１６０と維持電極ＳＵ１〜ＳＵ２１６０との間、及び、走査電極ＳＣ１〜ＳＣ２１６０とデータ電極Ｄ１〜Ｄｍとの間で、微弱な初期化放電が発生する。これにより、走査電極ＳＣ１〜ＳＣ２１６０上の負の壁電圧及び維持電極ＳＵ１〜ＳＵ２１６０上の正の壁電圧が弱められるとともに、データ電極Ｄ１〜Ｄｍ上の正の壁電圧は書込み動作に適した値に調整される。
【００８１】
その後、走査電極ＳＣ１〜ＳＣ２１６０に電圧Ｖｃを印加して、ＳＦ２で維持放電した放電セルに対して初期化放電を行う初期化動作を終了する。
【００８２】
以降同様に、第１の表示電極対グループＩのＳＦ３における書込み期間を開始し、ＳＦ３の維持期間とこの維持期間と次のサブフィールドの書込み期間との間の壁電圧調整期間（ＳＦ３の消去期間＋ＳＦ４の初期化期間）とを比較して、第１駆動方式又は第２駆動方式のいずれか一方を選択する。最後のＳＦ１０では第２駆動方式を選択して、１フィールドの期間を終了する。
【００８３】
なお、図示していないが、次のフィールドの全セル初期化期間における放電をより安定化させるため、ＳＦ１０の消去期間とＳＦ１の全セル初期化期間の間に、初期化期間を設けても良い。
【００８４】
また、電圧Ｖｅ２と電圧Ｖｅ１は近い電圧であるため、駆動回路の簡素化のためにＶｅ２をＶｅ１に置き換えても良い。
【００８５】
このように、本実施の形態１においては、１フィールドに含まれる複数のサブフィールド毎に、維持期間とこの維持期間と次のサブフィールドの書込み期間との間の壁電圧調整期間（消去期間＋初期化期間）とを比較して、第１駆動方式又は第２駆動方式のいずれかを選択可能としたことによって、駆動時間の短縮を図ることができる。
【００８６】
＜変形例＞
図６は、本発明の実施の形態１におけるランプ形状の消去波形を印加する場合の駆動電圧の波形図である。図６に示すように、走査電極ＳＣｉに対して、消去期間で電圧Ｖ５まで緩やかに上昇する傾斜波形電圧を印加し、次の初期化期間で電圧Ｖ４まで緩やかに下降する傾斜波形電圧を印加する。この方法によれば、消去期間に要する時間は、図５よりも増加するものの、各電極上の壁電圧をさらに精度よく制御し、次のサブフィールドでの書込み放電を微小化して、放電セル間の放電クロストークを抑えることができる。
【００８７】
図７は、本発明の実施の形態１における別の駆動電圧波形のサブフィールド構成図である。図３では、ＳＦ１〜ＳＦ１０毎に維持パルス数が減少していく降順並びであったが、図７では、最後のＳＦ１０は維持パルス数が最小で変わらないものの、ＳＦ１〜ＳＦ９では維持パルス数（維持期間）がサブフィールド毎に増加していく昇順並びとなっている。この方法によって得られる効果を以下に説明する。
【００８８】
元来、プラズマディスプレイは初期化放電してから次の書込み放電まで待ち時間が長ければ長いほど、初期化放電で蓄積された壁電荷が消滅し、書込み不良が発生しやすくなるため、初期化放電してすぐに書込み放電を行う方が良い。維持パルス数が降順並びであると、輝度重みが大きいサブフィールドではすぐに書込み放電が行われるが、輝度重みが小さいサブフィールドでは書込み放電まで待ち時間が長く、書込み不良が発生しやすくなる。一方、図７のように、維持パルス数を昇順並びにすると、輝度重みが小さいサブフィールドが初期化放電してすぐに書込み放電できるため、安定して書込み放電を行うことができる。
【００８９】
また、図７では、輝度重みが大きい（維持パルス数が多い）サブフィールドが点灯する際は、必ず輝度重みが小さい（維持パルス数が少ない）サブフィールドを１つ以上点灯するように、サブフィールド信号処理をする。この方法によれば、輝度重みが大きいサブフィールドも、輝度重みが小さいサブフィールドも、初期化放電してすぐに書込み放電を行うことができるため、安定して書込み放電を行うことができる。
【００９０】
なお、図３及び図７に示すように、最も点灯する可能性が高い、輝度重みが最小となるサブフィールドを最後のＳＦ１０に配置したのは、（１）駆動時間を短縮するため、（２）最低輝度は点灯不良が起きても目立たないため、（３）ＳＦ１０の直後に全セル初期化期間を設けることで、低階調特性を向上するために駆動マージンを削って最低輝度を下げる手段が使用できるため、である。
【００９１】
以上のように全セル初期化期間の直前に（Ｐ（Ｐは整数）番目の１フィールドの全セル初期化期間とした場合、Ｐ−１番目の１フィールドにおける最後のサブフィールドＳＦＭに）、輝度重み最小のサブフィールドを配置するサブフィールド構成は従来から存在していた。しかし、従来は最初のＳＦ１に輝度重み最小のサブフィールドを配置しているのに対し、図７は最後のＳＦ１０に配置している。この方法によれば、従来よりも全セル初期化放電してから輝度重み最小のサブフィールドの書込み放電までの待ち時間が短縮され、輝度重み最小のサブフィールドの書込み放電を安定して行うことができる。
【００９２】
図８は、本発明の実施の形態１における別の駆動電圧波形のサブフィールド構成図である。図３と図７では、維持期間の直後に消去期間を設けた場合を示したが、図８では、書込み期間の直前に消去期間と初期化期間を設けた場合を示している。この方法によれば、初期化放電してから次の書込み放電までの待ち時間が短縮され、書込み放電を安定して行うことができる。
【００９３】
図９は、本発明の実施の形態１における別の駆動電圧波形のサブフィールド構成図である。図９では、図８と同様、書込み期間の直前に消去期間と初期化期間を設け、かつ、第１の表示電極対グループＩが消去期間と初期化期間であるときに第２の表示電極対グループIIで維持動作を行い、第２の表示電極対グループIIが消去期間と初期化期間であるときに第１の表示電極対グループＩで維持動作を行う。なお、維持動作を行う期間は、他方の表示電極対グループが消去期間と初期化期間のどちらか一方の期間でもよい。この方法によれば、１フィールドにさらに維持パルス数を増加することができるため、輝度や階調性をさらに向上させることができる。
【００９４】
図１０は、本発明の実施の形態１における別の駆動電圧波形のサブフィールド構成図である。ＰＤＰは全セル初期化放電後のアドレス放電が強く、放電セル間で放電クロストークが発生しやすいという課題を有している。そこで、図１０では、図７における最初のＳＦ１と最後のＳＦ１０の輝度重みを入れ替え、最初のＳＦ１を輝度重み最小のサブフィールド、最後のＳＦ１０を２番目に輝度重みが小さいサブフィールドとしている。このようなサブフィールド構成とし、かつ、ＳＦ２以降を点灯する際にＳＦ１を必ず点灯する（言い換えれば、０階調以外は全てＳＦ１を点灯する）ことによって、低輝度階調の表現力の低下を最小限にしながら放電セル間の放電クロストークを抑えることができる。なお、この方法に図８や図９の方法を適用することもできる。
【００９５】
また、図３、図７〜図９に示したように、１フィールド中の各サブフィールドＳＦ１〜ＳＦ１０の維持期間を、単純な昇順や降順にするか、若しくは、最後のＳＦ１０に輝度重み最小のサブフィールドを配置してそれ以外のＳＦ１〜ＳＦ９は昇順にするという配置方法の他に、１フィールド中で昇順が２回行われる場合（以下、２回昇順と呼ぶ。）や降順が２回行われる場合（以下、２回降順と呼ぶ。）であってもよい。これにより、全セル初期化放電してから各サブフィールドの書込み放電までの待ち時間が均一化され、各サブフィールドの書込み放電の安定化が期待される。
【００９６】
例えば、２回昇順の例として、各サブフィールドの維持パルスの数が、最初のＳＦ１から最後のＳＦ１０の順に、「１」、「２」、「４」、「１１」、「２２」、「４４」、「５」、「７」、「２０」、「４２」となる。また、この場合、１回目の昇順の配列の最初（１回目の昇順の配列の中で輝度重み最小）となるＳＦ１と、２回目の昇順の配列の最初（２回目の昇順の配列の中で輝度重み最小）となるＳＦ７を常時点灯（但し、０階調すなわち全黒表示以外の画面で実施するようにする。）するようにしてもよい。
【００９７】
また、２回昇順のその他の例として、最後のＳＦ１０を輝度重み最小のサブフィールドとしてもよい。上記の例を用いると、各サブフィールドの維持パルスの数が、最初のＳＦ１から最後のＳＦ１０の順に、「２」、「４」、「１１」、「２２」、「４４」、「５」、「７」、「２０」、「４２」、「１」となる。また、この場合、２回目の昇順の配列の中で２番目に輝度重みが小さいサブフィールドであるＳＦ７を常時点灯するようにしてもよい。
【００９８】
また、２回降順の例として、各サブフィールドの維持パルスの数が、最初のＳＦ１から最後のＳＦ１０の順に、「４４」、「２２」、「１１」、「４」、「２」、「１」、「４２」、「２０」、「７」、「５」となる。
【００９９】
＜プラズマディスプレイ装置１００の構成＞
図１１は、本発明の実施の形態１におけるプラズマディスプレイ装置１００の回路ブロック図である。図１１に示すように、本実施の形態１におけるプラズマディスプレイ装置１００は、ＰＤＰ１０、画像信号処理回路４１、データ電極駆動回路４２、走査電極駆動回路４３ａ及び４３ｂ、維持電極駆動回路４４ａ及び４４ｂ、タイミング発生回路４５、駆動方式選択回路４６、及び、各回路ブロックに必要な電源を供給する電源回路（図示せず）を備えている。尚、本発明に係る制御回路は、画像信号処理回路４１、タイミング発生回路４５、駆動方式選択回路４６により実現される。
【０１００】
画像信号処理回路４１は、入力された画像信号を、タイミング発生回路４５からのタイミング信号に基づいて、サブフィールド毎の発光・非発光を示す画像データに変換する。データ電極駆動回路４２は、データ電極Ｄ１〜Ｄｍのそれぞれに書込みパルス電圧Ｖｄ又は０Ｖを印加するためのｍ個のスイッチを備えており、画像信号処理回路４１から出力された画像データを各データ電極Ｄ１〜Ｄｍに対応する書込みパルスに変換し、各データ電極Ｄ１〜Ｄｍに印加する。
【０１０１】
駆動方式選択回路４６は、画像信号処理回路４１から送信された各サブフィールドの維持パルス数に基づいて各サブフィールドの維持期間を演算して出力する演算部（図示せず）と、１フィールド中に含まれる複数のサブフィールドの順に、当該演算部により出力された維持期間とこの維持期間と次のサブフィールドの書込み期間との間の壁電圧調整期間（消去期間＋初期化期間）とを比較して、サブフィールド毎の駆動方式として第１駆動方式又は第２駆動方式のいずれか一方を選択する選択部（図示せず）を有する。
【０１０２】
タイミング発生回路４５は、水平同期信号、垂直同期信号及び駆動方式選択情報に基づいて、画像信号処理回路４１、データ電極駆動回路４２、走査電極駆動回路４３ａ及び４３ｂ、維持電極駆動回路４４ａ及び４４ｂの動作を制御する各種のタイミング信号を発生して、各回路へ送信する。具体的には、タイミング発生回路４５は、垂直同期信号Ｖから一定時間経過した時点でフィールド開始信号を生成し、このフィールド開始信号を起点に各サブフィールドの初期化期間、書込み期間、維持期間、消去期間の開始を指示するタイミング信号を生成する。さらに、各期間の開始を指示するタイミング信号を起点としてクロックをカウントすることにより、各駆動回路４１、４２、４３ａ、４３ｂ、４４ａ、４４ｂに、パルス発生のタイミングを指示するタイミング信号を生成して供給する。
【０１０３】
走査電極駆動回路４３ａは、タイミング発生回路４５から送信されたタイミング信号に基づいて、第１の表示電極対グループＩの走査電極ＳＣ１〜ＳＣ１０８０を駆動し、走査電極駆動回路４３ｂは、タイミング発生回路４５から送信されたタイミング信号に基づいて、第２の表示電極対グループIIの走査電極ＳＣ１０８１〜ＳＣ２１６０を駆動する。また、維持電極駆動回路４４ａは、タイミング発生回路４５から供給されたタイミング信号に基づいて、第１の表示電極対グループＩの維持電極ＳＵ１〜ＳＵ１０８０を駆動し、維持電極駆動回路４４ｂは、タイミング発生回路４５から供給されたタイミング信号に基づいて、第２の表示電極対グループIIの維持電極ＳＵ１０８１〜ＳＵ２１６０を駆動する。
【０１０４】
図１２は、本発明の実施の形態１におけるプラズマディスプレイ装置１００の走査電極駆動回路４３ａの回路図である。図１２に示すように、本実施の形態１におけるプラズマディスプレイ装置１００の走査電極駆動回路４３ａは、維持パルス発生回路５０、初期化パルス発生回路６０、走査パルス発生回路７０を備えている。なお、走査電極駆動回路４３ｂは、走査電極駆動回路４３ａと同様の構成であるため、説明を省略する。
【０１０５】
維持パルス発生回路５０は、走査電極ＳＣ１〜ＳＣ１０８０に維持パルスを印加する回路であって、電力回収部５０ａを構成する電力回収用のコンデンサＣ５１、スイッチング素子Ｑ５１及びＱ５２、逆流防止用のダイオードＤ５１及びＤ５２、共振用のインダクタＬ５１、電圧クランプ部を構成するスイッチング素子Ｑ５５及びＱ５６を有する。
【０１０６】
電力回収部５０ａでは、表示電極対２４である走査電極２２と維持電極２３との間の電極間容量ＣとインダクタＬ５１とをＬＣ共振させて、維持パルスの立ち上がり及び立ち下がりを行う。維持パルスの立ち上がり時には、電力回収用のコンデンサＣ５１に蓄えられている電荷を、スイッチング素子Ｑ５１、ダイオードＤ５１、及び、インダクタＬ５１を介して、電極間容量Ｃに移動させる。維持パルスの立ち下がり時には、電極間容量Ｃに蓄えられた電荷を、インダクタＬ５１、ダイオードＤ５２、及び、スイッチング素子Ｑ５２を介して、電力回収用のコンデンサＣ５１に戻す。このように、電力回収部５０ａは、電源から電力を供給されることなく、ＬＣ共振によって表示電極対２４の駆動を行うことができるため、理想的には消費電力が０となる。なお、電力回収用のコンデンサＣ５１は、電極間容量Ｃと比べて十分大きい容量を持ち、電力回収部５０ａの電源として働くように、維持パルス電圧Ｖｓの約半分（Ｖｓ／２）が充電されている。
【０１０７】
なお、電力回収部５０ａは、表示電極対グループ毎に設ける必要はなく、１つでもよい。ただし、維持パルスの立ち上がり及び立ち下がりはＬＣ共振させて行っているため、第１駆動方式による維持期間と第２駆動方式による維持期間とでは、ＰＤＰ１０の電極間容量Ｃが異なることを考慮して、第２駆動方式のサブフィールドでは、第１駆動方式のサブフィールドに比べて維持パルスの立ち上がりと立ち下がり時間が長くなるように、タイミング発生回路４５を調整する。具体的には、表示電極対グループの数をＮとした時、第２駆動方式の立ち上がり時間は第１駆動方式の立ち上がり時間の約√Ｎ倍とすればよい。立ち下り時間も同様に、第２駆動方式は第１駆動方式の約√Ｎ倍とすればよい。
【０１０８】
電圧クランプ部では、スイッチング素子Ｑ５５を介して駆動する表示電極対２４を電源に接続し、維持パルス電圧Ｖｓにクランプする。また、スイッチング素子Ｑ５６を介して駆動する表示電極対２４を接地し、０Ｖにクランプする。したがって、電圧クランプ部による電圧印加時のインピーダンスは小さく、強い維持放電による大きな放電電流を安定して流すことができる。
【０１０９】
このように、維持パルス発生回路５０では、スイッチング素子Ｑ５１、Ｑ５２、Ｑ５５、Ｑ５６を制御することによって、走査電極ＳＣ１〜ＳＣ１０８０に維持パルス電圧Ｖｓを印加する。なお、上記スイッチング素子は、ＭＯＳＦＥＴやＩＧＢＴ等の、一般に知られた素子を用いて構成することができる。また、維持パルス発生回路５０は、表示電極対グループ毎に２分割する必要はなく、１つにまとめてもよい。
【０１１０】
初期化パルス発生回路６０は、初期化期間において、走査電極ＳＣ１〜ＳＣ１０８０に緩やかに上昇する傾斜波形電圧を印加するためのミラー積分回路６１と、緩やかに下降する傾斜波形電圧を印加するためのミラー積分回路６２と、スイッチング素子Ｑ６３及びＱ６４とを備えている。スイッチング素子Ｑ６３及びＱ６４は、分離スイッチであり、維持パルス発生回路５０及び初期化パルス発生回路６０を構成するスイッチング素子の寄生ダイオードを介して電流が逆流するのを防止するために設けられている。
【０１１１】
このような初期化パルス発生回路６０によって、正の電圧Ｖ２あるいは負の電圧Ｖ４に向かう傾斜波形電圧を走査電極ＳＣ１〜ＳＣ１０８０に一括して印加することができる。
【０１１２】
走査パルス発生回路７０は、必要に応じて走査パルス電圧Ｖａを走査電極ＳＣ１〜ＳＣ１０８０にそれぞれ印加するためのスイッチング素子Ｑ７１Ｈ１及びＱ７１Ｌ１〜Ｑ７１Ｈ１０８０及びＱ７１Ｌ１０８０を有する（例えば、走査電極ＳＣ２に印加するためのスイッチング素子はＱ７１Ｈ２及びＱ７１Ｌ２である）。走査パルス発生回路７０では、走査電極ＳＣ１〜ＳＣ１０８０に、上述したタイミングで走査パルス電圧Ｖａを順次印加する。
【０１１３】
図１３は、本発明の実施の形態１におけるプラズマディスプレイ装置１００の維持電極駆動回路４４ａの回路図である。図１３に示すように、本実施の形態１におけるプラズマディスプレイ装置１００の維持電極駆動回路４４ａは、維持パルス発生回路８０、一定電圧発生回路９０を備えている。なお、維持電極駆動回路４４ｂは、維持電極駆動回路４４ａと同様の構成であるため、説明を省略する。
【０１１４】
維持パルス発生回路８０は、維持電極ＳＵ１〜ＳＵ１０８０に維持パルスを印加する回路であって、電力回収部８０ａを構成する電力回収用のコンデンサＣ８１、スイッチング素子Ｑ８１及びＱ８２、逆流防止用のダイオードＤ８１及びＤ８２、共振用のインダクタＬ８１、電圧クランプ部を構成するスイッチング素子Ｑ８５及びＱ８６を有する。なお、維持パルス発生回路８０は、維持パルス発生回路５０と同様の構成であるため、詳細な動作説明は省略する。
【０１１５】
一定電圧発生回路９０は、スイッチング素子Ｑ９１及びＱ９２、逆流防止用のダイオードＤ９１及びＤ９２を有する。一定電圧発生回路９０では、初期化期間において、スイッチング素子Ｑ９１と逆流防止用のダイオードＤ９１を介して、正の電圧Ｖｅ１を維持電極ＳＵ１〜ＳＵ１０８０に印加する。また、書込み期間において、スイッチング素子Ｑ９２と逆流防止用のダイオードＤ９２を介して、正の電圧Ｖｅ２を維持電極ＳＵ１〜ＳＵ１０８０に印加する。
【０１１６】
なお、本実施の形態１においては、ＰＤＰ１０を上下方向に２分割して、２つの表示電極対グループに分けた例を説明したが、本発明はこれに限定されることはなく、表示電極対グループの数は、維持期間において表示電極対２４に印加する最大の維持パルス数に基づいて決めることが望ましい。
【０１１７】
（実施の形態２）
図１４は、本発明の実施の形態２におけるＰＤＰ１０の電極配列図である。本実施の形態２においては、ＰＤＰ１０を上下方向に４分割して、４つの表示電極対グループに分け、ＰＤＰ１０の上部から順に、第１の表示電極対グループＩ（走査電極ＳＣ１〜ＳＣ５４０及び維持電極ＳＵ１〜ＳＵ５４０）、第２の表示電極対グループII（走査電極ＳＣ５４１〜ＳＣ１０８０及び維持電極ＳＵ５４１〜ＳＵ１０８０）、第３の表示電極対グループIII（走査電極ＳＣ１０８１〜ＳＣ１６２０及び維持電極ＳＵ１０８１〜ＳＵ１６２０）、第４の表示電極対グループIV（走査電極ＳＣ１６２１〜ＳＣ２１６０及び維持電極ＳＵ１６２１〜ＳＵ２１６０）とする。
【０１１８】
図１５は、図１４に対応した本発明の実施の形態２における駆動電圧波形のサブフィールド構成図である。図１５に示すように、表示電極対グループの数を増やすことで、維持期間において表示電極対２４に印加する維持パルス数を増やすことができ、ＰＤＰ１０の発光輝度を高めることができる。
【０１１９】
また、本実施の形態２における駆動方法は、消去期間と初期化期間を次のサブフィールドの書込み期間の直前に設けている。また、第１駆動方式が選択されたサブフィールドにおいて、初期化期間及び消去期間を除く期間で、複数の表示電極対グループのうちいずれかで連続して書込み動作を行うように駆動する。加えて、維持期間が消去期間の直前で終了するように、書込み期間と維持期間との間に、放電を発生させない期間を設けている。さらに、本実施の形態２における駆動方法は、第１駆動方式が選択されたサブフィールドにおいて、消去期間又は初期化期間、若しくは、消去期間及び初期化期間に、複数の表示電極対グループのうちいずれかで維持動作を行うように駆動する。この方法によれば、維持放電で発生したプライミングを利用して消去放電を行うことができ、安定した消去動作を行うことができる。
【０１２０】
（実施の形態３）
実施の形態１及び２では、ＰＤＰ１０の駆動方式を、第１駆動方式と第２駆動方式との間で選択する駆動方式選択回路４６と備えているが、本発明の実施の形態３では、この駆動方式選択回路４６が省略されている。そして、駆動方式選択回路４６の代わりに、画像信号処理回路４１がＬＵＴ（ルックアップテーブル）を内蔵していて、このＬＵＴに、個々のサブフィールドを第１駆動方式と第２駆動方式とのいずれの方式で駆動するかが、予め記憶されている。つまり、本発明に係る制御回路は、画像信号処理回路４１、タイミング発生回路４５により実現される。ＰＤＰ１０の駆動方式を第１駆動方式と第２駆動方式とのいずれにするかは、実施の形態１及び２と同じ基準によって決定される。また、本実施の形態３では、１フィールド期間中に、第１駆動方式で駆動するサブフィールドと第２駆動方式で駆動するサブフィールドとの双方を含んでいる。このような本実施の形態３によれば、実施の形態１及び２に比べて、ＰＤＰ１０の駆動制御が簡略化され、ＰＤＰ１０の周辺回路の構成が簡素化される。
【０１２１】
（実施の形態４）
本発明の実施の形態４は、各サブフィールドの維持期間を特定の範囲に設定する形態を例示するものである。
【０１２２】
具体的には、本実施の形態４では、表示電極対グループの数をＮ、全ての放電セルで１回の書込み動作を行うために必要な時間をＴｗとし、各表示電極対グループのサブフィールドにおける維持期間を、Ｔｗ×（Ｎ−１）／Ｎ以下の範囲で、サブフィールドの輝度重みに応じて設定する。言い換えると、本実施の形態４では、Ｔｓ（輝度重み最大のサブフィールドの維持期間に割り当てる時間）≦Ｔｗ×（Ｎ−１）／Ｎの不等式を満たすように維持期間を設定する。
【０１２３】
上記のＴｗは、パネル全体に存在する複数の表示電極対に対して順次書込みを行うシングルスキャン方式によって１回の書込み動作を行うために必要な時間を指す。このシングルスキャン方式では、複数の表示電極対グループの各々に対する書込み期間は互いに重なることがない。即ち、同時に２つ以上の表示電極対グループに対して書込みが行われない。
【０１２４】
図１６は、本実施の形態４の駆動方法及び表示電極対グループの数の設定方法について説明する図であって、ＰＤＰ１０の走査電極ＳＣ１〜ＳＣ２１６０に印加する１フィールド期間の駆動電圧波形を模式的に示した図である。
【０１２５】
図１６（ａ）〜図１６（ｄ）において、縦軸は走査電極ＳＣ１〜ＳＣ２１６０を示し、横軸は時間を示している。また、書込み動作を行うタイミングを実線で示し、維持期間及び壁電圧調整期間のタイミングはハッチングで示している。
【０１２６】
図１６（ａ）〜図１６（ｄ）から明らかなように、本実施の形態４では、ＰＤＰ１０を第１駆動方式で駆動すると仮定して、維持期間及び表示電極対グループの数を設定する。そして、この設定された条件下で、実施の形態１乃至３に述べたように、維持期間の長さと壁電圧調整期間の長さとの比較結果に基づいて、第１駆動方式と第２駆動方式とが選択（実施の形態３では決定）される。
【０１２７】
具体的には、１フィールド期間を１６．７ｍｓとし、１走査電極１本あたりの書込み動作に要する時間を０．７μｓとすると、走査電極の数が２１６０本であるため、全ての走査電極で書込み動作を１回行うのに必要な時間Ｔｗは、０．７×２１６０＝１５１２μｓ（約１．５ｍｓ）である。また、表示電極対グループ数Ｎ＝２として、ＰＤＰ１０の上半分に位置する表示電極対を第１の表示電極対グループＩとし、ＰＤＰ１０の下半分に位置する表示電極対を第２の表示電極対グループＩＩとする。すなわち、１０８０本の走査電極ＳＣ１〜ＳＣ１０８０及び１０８０本の維持電極ＳＵ１〜ＳＵ１０８０が第１の表示電極対グループＩに属しており、１０８０本の走査電極ＳＣ１０８１〜ＳＣ２１６０及び１０８０本の維持電極ＳＵ１０８１〜ＳＵ２１６０が第２の表示電極対グループＩＩに属している。
【０１２８】
まず、図１６（ａ）に示すように、１フィールド期間の最初に、ＰＤＰ１０全体の放電セルで一斉に初期化放電を発生させる全セル初期化期間を設けている。ここでは、全セル初期化期間に要する時間を５００μｓとする。
【０１２９】
次に、図１６（ｂ）に示すように、走査電極ＳＣ１〜ＳＣ２１６０に走査パルスを順次印加するのに要する時間Ｔｗを見積もる。このとき、連続して書込み動作を行われるように走査パルスを可能な限り短く、かつ可能な限り連続して印加することが好ましい。
【０１３０】
次に、１フィールド内に設けるサブフィールド数を見積もる。ここでは、壁電圧調整期間に要する時間はわずかなのでこれを無視して見積もると、１フィールド期間（１６．７ｍｓ）から全セル初期化期間（０．５ｍｓ）を引いて、全ての走査電極で書込み動作を１回行うために必要な時間（１．５ｍｓ）で割った値（１６．７−０．５）／１．５＝１０．８が、１フィールド内に設定できるサブフィールドの数に相当する。従って、図１６（ｃ）に示すように、１フィールド内で最大１０個のサブフィールド（ＳＦ１、ＳＦ２、・・・、ＳＦ１０）を設定することができる。
【０１３１】
次に、図１６（ｄ）に示すように、２つの表示電極対グループに属する走査電極の書込みの後に、維持パルスを印加する維持期間を設ける。例えば、１０サブフィールドの各々において、「６０」、「４４」、「３０」、「１８」、「１１」、「６」、「３」、「２」、「１」、「１」の維持パルスを印加することとする。
【０１３２】
維持パルス幅（周期）を１０μｓとすると、最も輝度重みの大きいサブフィールド「６０」において維持期間に割り当てられる時間は６００μｓとなる。この場合、Ｎ＝２、Ｔｗ＝１５１２μｓ、Ｔｓ＝６００μｓであるので、Ｔｗ×（Ｎ−１）／Ｎ＝７５６≧６００となり、上記のＴｗ×（Ｎ−１）／Ｎ≧Ｔｓが満たされる。
【０１３３】
以上のように、ＰＤＰ１０の表示電極対グループの数Ｎや、各表示電極対グループにおけるサブフィールドの時間設定等を行うことができる。
【０１３４】
上記駆動方法によれば、各表示電極対グループにおける各サブフィールドの維持期間を、Ｔｗ×（Ｎ−１）／Ｎ以下の範囲でサブフィールドの輝度重みに応じて設定しているので、全セル初期化期間の後に、いずれかの表示電極対グループで連続して書込み動作を行うように走査パルス及び書込みパルスを配置することができる。その結果、１フィールド期間内に１０個のサブフィールド、すなわち１フィールド期間内に設定可能な最大数のサブフィールド数を設定することができる。
【０１３５】
尚、ライン数の少ないＰＤＰでは、全ての走査電極で書込み動作を１回行うために必要な時間Ｔｗが短いので、各サブフィールドにおいてＴｗ×（Ｎ−１）／Ｎ以下の範囲内で設定可能な維持期間は短くなる。しかし、ライン数１０８０本以上の高精細ＰＤＰにおいては、全ての走査電極で書込み動作を１回行うために必要な時間Ｔｗが長くなり、Ｔｗ×（Ｎ−１）／Ｎの時間、ひいては、各サブフィールドに割り当て可能な維持期間の最大時間Ｔｓも長くなる。従って、本実施形態の駆動方法は、高精細ＰＤＰを駆動する場合に特に有用である。
【０１３６】
図１７は、駆動電圧波形のサブフィールド構成を示す模式図であり、縦軸は走査電極ＳＣ１〜ＳＣ２１６０を示し、横軸は時間を示している。また、書込み動作を行うタイミングを実線で示し、維持期間及び壁電圧調整期間のタイミングはハッチングで示している。
【０１３７】
図１７（ａ）は維持期間の直後に壁電圧調整期間を設けた場合の駆動電圧波形を示しており、第１の表示電極対グループＩが壁電圧調整期間であるときには第２の表示電極対グループＩＩの書込み動作を制限し、第２の表示電極対グループＩＩが壁電圧調整期間であるときには第１の表示電極対グループの書込み動作を制限する。
【０１３８】
図１７（ｂ）は書込み期間の直前に、前のサブフィールドの壁電圧調整期間を設けた場合の駆動電圧波形を示しており、第１の表示電極対グループＩが壁電圧調整期間であるときには第２の表示電極対グループＩＩの書込み動作を制限し、第２の表示電極対グループＩＩが壁電圧調整期間であるときには第１の表示電極対グループＩの書込み動作を制限する。
【０１３９】
このように、いずれかの表示電極対グループが壁電圧調整期間であるときに書込み動作を制限する場合には、壁電圧調整期間に要する時間を見込んでサブフィールド構成及び表示電極対のグループ数Ｎを設定すればよい。
【０１４０】
また、１フィールドの最初に各放電セルで初期化放電を発生させる全セル初期化期間を設け、且つ各表示電極対グループの各サブフィールドの維持期間の後に、壁電圧を調整する壁電圧調整期間を設けることが好ましい。これにより、仮にサブフィールド毎に全セル初期化期間を設ける場合と対比すると、１フィールド内に占める全セル初期化期間を短縮することができるので、１フィールド内に設定するサブフィールド数を増やすのに寄与する。
【０１４１】
また、上記の全セル初期化期間において、複数の表示電極対を構成する各走査電極に対して一括して初期化パルスを印加することが好ましい。これにより、サブフィールド毎に全セル初期化期間を設けなくても、維持期間と書込み期間の間に設けた壁電圧調整期間において各放電セルの壁電圧を十分に調整することができる。
【０１４２】
また、１フィールド期間に含まれる複数のサブフィールドの中で、輝度重みの最も小さいサブフィールドを最後に配置することが好ましい。最後のサブフィールドの時間の長さを短縮できるので、１フィールド内に設定するサブフィールド数を増やすのに寄与する。
【０１４３】
上記実施の形態１乃至４において用いた各数値は、単に一例を挙げたに過ぎず、ＰＤＰ１０の特性やプラズマディスプレイ装置１００の仕様等に合わせて、適宜最適な値に設定することが望ましい。
【０１４４】
また、上記実施の形態１乃至４においては、２１６０ラインに順次書込みを行うシングルスキャン方式で駆動する例について説明したが、例えば、４３２０ラインを備える公知のデュアル駆動方式のＰＤＰにおいて、分割された２つの各領域に対して、上記の実施の形態で説明した駆動方法を適用することもできる。これにより、４３２０ラインの超高精細ＰＤＰを実現することができる。その場合、領域毎に駆動回路が必要となるが、比較的容易に超高精細ＰＤＰを実現することができる。
【０１４５】
また、上記実施の形態１乃至４で説明した駆動方法を、全てのフィールドに適用するのではなく、一部のフィールドのみに適用してもよいことは言うまでもない。
【０１４６】
また、上記実施の形態１及び２において、ＰＤＰ１０の駆動方式における第１駆動方式と第２駆動方式との選択を、一部のサブフィールドのみで行ってもよいことは言うまでもない。
【０１４７】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０１４８】
本発明に係るプラズマディスプレイパネルの駆動方法及びプラズマディスプレイ装置によれば、２１６０ライン以上の超大型・超高精細のプラズマディスプレイパネルであっても、画質を確保するための十分なサブフィールド数を確保することができ、十分な輝度で駆動することができるので、高精細のプラズマディスプレイ装置を高輝度で駆動する上で有用である。
【符号の説明】
【０１４９】
１０    ＰＤＰ
２１    前面基板
２２    走査電極
２２ａ、２３ａ    透明電極
２２ｂ、２３ｂ    バス電極
２３    維持電極
２４    表示電極対
２５、３３    誘電体層
２６    保護層
３１    背面基板
３２    データ電極
３４    隔壁
３５    蛍光体層
４１    画像信号処理回路
４２    データ電極駆動回路
４３ａ、４３ｂ    走査電極駆動回路
４４ａ、４４ｂ    維持電極駆動回路
４５    タイミング発生回路
４６    駆動方式選択回路
５０、８０    維持パルス発生回路
５０ａ、８０ａ    電力回収部
６０    初期化パルス発生回路
６１、６２    ミラー積分回路
７０    走査パルス発生回路
９０    一定電圧発生回路
１００    プラズマディスプレイ装置
【図１】
2009139163.tif 000003
【図２】
2009139163.tif 000004
【図３】
2009139163.tif 000005
【図４】
2009139163.tif 000006
【図５】
2009139163.tif 000007
【図６】
2009139163.tif 000008
【図７】
2009139163.tif 000009
【図８】
2009139163.tif 000010
【図９】
2009139163.tif 000011
【図１０】
2009139163.tif 000012
【図１１】
2009139163.tif 000013
【図１２】
2009139163.tif 000014
【図１３】
2009139163.tif 000015
【図１４】
2009139163.tif 000016
【図１５】
2009139163.tif 000017
【図１６】
2009139163.tif 000018
【図１７】
2009139163.tif 000019
【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
走査電極と維持電極とから構成された表示電極対が並んで複数配置された第１基板と、前記第１基板と対向するように配置され、かつ複数のデータ電極が並んで複数の前記表示電極対に立体交差するように配置された第２基板とを備え、前記複数の表示電極対と前記複数のデータ電極とが立体交差する位置のそれぞれに放電セルが構成されたプラズマディスプレイパネルの駆動方法であって、
前記複数の表示電極対をＮ（Ｎは２以上の整数）個の表示電極対グループに分割し、
１フィールドを、前記放電セルの書込み放電に備えて前記放電セルの壁電圧を調整する壁電圧調整期間と、画像信号に応じて選択される放電セルを書込み放電させる書込み期間と、書込み放電した放電セルを維持放電させる維持期間と、を有したＭ個（Ｍは２以上の整数）のサブフィールドＳＦＬ（Ｌ＝１〜Ｍ）に分割し、
Ｋ番目のサブフィールドＳＦＫにおける前記維持期間をＴ１と定義し、この維持期間Ｔ１とＫ＋１番目のサブフィールドの前記書込み期間との間の前記壁電圧調整期間をＴ２と定義した場合に、
Ｔ１＞（Ｎ−１）×Ｔ２の場合、前記Ｎ個の表示電極対グループの間で、前記サブフィールドＳＦＫについて前記維持期間及び前記壁電圧調整期間を各表示電極対グループ毎に設定する第１駆動方式とし、
Ｔ１＜（Ｎ−１）×Ｔ２の場合、前記Ｎ個の表示電極対グループの間で、前記サブフィールドＳＦＫについて前記維持期間及び前記壁電圧調整期間を同期させて設定する第２駆動方式とし、
さらに、前記１フィールドの期間に１回以上、全ての前記放電セルを一斉に初期化放電する全セル初期化期間を有し、
前記全セル初期化期間の直後に配置されるサブフィールドが、１フィールドの期間に含まれるＭ個のサブフィールドＳＦＬ（Ｌ＝１〜Ｍ）の中で輝度重み最小のサブフィールドであり、前記全セル初期化期間の直前に配置されるサブフィールドが、輝度重み最大のサブフィールドではない、プラズマディスプレイパネルの駆動方法。
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
前記全セル初期化期間の直前に配置されるサブフィールドが、２番目に輝度重みが小さいサブフィールドである、請求項１記載のプラズマディスプレイパネルの駆動方法。
【請求項１３】
走査電極と維持電極とから構成された表示電極対が並んで複数配置された第１基板と、前記第１基板と対向するように配置され、かつ複数のデータ電極が並んで複数の前記表示電極対に立体交差するように配置された第２基板とを備え、前記複数の表示電極対と前記複数のデータ電極とが立体交差する位置のそれぞれに放電セルが構成されたプラズマディスプレイパネルの駆動方法であって、
前記複数の表示電極対をＮ（Ｎは２以上の整数）個の表示電極対グループに分割し、
１フィールドを、前記放電セルの書込み放電に備えて前記放電セルの壁電圧を調整する壁電圧調整期間と、画像信号に応じて選択される放電セルを書込み放電させる書込み期間と、書込み放電した放電セルを維持放電させる維持期間と、を有したＭ個（Ｍは２以上の整数）のサブフィールドＳＦＬ（Ｌ＝１〜Ｍ）に分割し、
Ｋ番目のサブフィールドＳＦＫにおける前記維持期間をＴ１と定義し、この維持期間Ｔ１とＫ＋１番目のサブフィールドの前記書込み期間との間の前記壁電圧調整期間をＴ２と定義した場合に、
Ｔ１＞（Ｎ−１）×Ｔ２の場合、前記Ｎ個の表示電極対グループの間で、前記サブフィールドＳＦＫについて前記維持期間及び前記壁電圧調整期間を各表示電極対グループ毎に設定する第１駆動方式とし、
Ｔ１＜（Ｎ−１）×Ｔ２の場合、前記Ｎ個の表示電極対グループの間で、前記サブフィールドＳＦＫについて前記維持期間及び前記壁電圧調整期間を同期させて設定する第２駆動方式とし、
前記維持期間に維持放電を発生させる維持パルスの立ち上がり時間及び立ち下がり時間を、前記第２駆動方式が選択されたサブフィールドよりも、前記第１駆動方式が選択されたサブフィールドの方を短くする、プラズマディスプレイパネルの駆動方法。
【請求項１４】
（削除）
【請求項１５】
（削除）
【請求項１６】
（削除）
【請求項１７】
（削除）
【請求項１８】
（削除）
【請求項１９】
（削除）
【請求項２０】
（削除）
【請求項２１】
（削除）
【請求項２２】
（削除）
【請求項２３】
（削除）
【請求項２４】
走査電極と維持電極とから構成された表示電極対が並んで複数配置された第１基板と、前記第１基板と対向するように配置され、かつ複数のデータ電極が並んで複数の前記表示電極対に立体交差するように配置された第２基板とを備え、前記複数の表示電極対と前記複数のデータ電極とが立体交差する位置のそれぞれに放電セルが構成されたプラズマディスプレイパネルと、
前記複数の表示電極対をＮ（Ｎは２以上の整数）分割したＮ個の表示電極対グループにそれぞれ属する走査電極を駆動するＮ個の走査電極駆動回路と、
前記Ｎ個の表示電極対グループにそれぞれ属する維持電極を駆動するＮ個の維持電極駆動回路と、
前記複数のデータ電極を駆動するデータ電極駆動回路と、
を有し、更に、
１フィールドを、前記放電セルの書込み放電に備えて前記放電セルの壁電圧を調整する壁電圧調整期間と、画像信号に応じて選択される放電セルを書込み放電させる書込み期間と、書込み放電した放電セルを維持放電させる維持期間と、を有したＭ個（Ｍは２以上の整数）のサブフィールドＳＦＬ（Ｌ＝１〜Ｍ）に分割し、
Ｋ番目のサブフィールドＳＦＫにおける前記維持期間をＴ１と定義し、この維持期間Ｔ１とＫ＋１番目のサブフィールドの前記書込み期間との間の前記壁電圧調整期間をＴ２と定義した場合に、
Ｔ１＞（Ｎ−１）×Ｔ２の場合、前記Ｎ個の表示電極対グループの間で、前記サブフィールドＳＦＫについて前記維持期間及び前記壁電圧調整期間を各表示電極対グループ毎に設定する第１駆動方式とし、Ｔ１＜（Ｎ−１）×Ｔ２の場合、前記Ｎ個の表示電極対グループの間で、前記サブフィールドＳＦＫについて前記維持期間及び前記壁電圧調整期間を同期させて設定する第２駆動方式とするよう、前記Ｎ個の走査電極駆動回路、前記Ｎ個の維持電極駆動回路及び前記データ電極駆動回路を制御する制御回路と、
を有し、
前記制御回路は、前記維持期間に維持放電を発生させる維持パルスの立ち上がり時間及び立ち下がり時間を、前記第２駆動方式のサブフィールドよりも、前記第１駆動方式のサブフィールドの方を短くする、プラズマディスプレイ装置。
【請求項２５】
（削除）
【請求項２６】
（削除）
【請求項２７】
（削除）
【請求項２８】
（削除）
【請求項２９】
（削除）
【請求項３０】
前記全セル初期化期間の２つ前に配置されるサブフィールドを、輝度重み最大のサブフィールドとする、請求項１記載のプラズマディスプレイパネルの駆動方法。
【請求項３１】
走査電極と維持電極とから構成された表示電極対が並んで複数配置された第１基板と、前記第１基板と対向するように配置され、かつ複数のデータ電極が並んで複数の前記表示電極対に立体交差するように配置された第２基板とを備え、前記複数の表示電極対と前記複数のデータ電極とが立体交差する位置のそれぞれに放電セルが構成されたプラズマディスプレイパネルの駆動方法であって、
前記複数の表示電極対をＮ（Ｎは２以上の整数）個の表示電極対グループに分割し、
１フィールドを、前記放電セルの書込み放電に備えて前記放電セルの壁電圧を調整する壁電圧調整期間と、画像信号に応じて選択される放電セルを書込み放電させる書込み期間と、書込み放電した放電セルを維持放電させる維持期間と、を有したＭ個（Ｍは２以上の整数）のサブフィールドＳＦＬ（Ｌ＝１〜Ｍ）に分割し、
Ｋ番目のサブフィールドＳＦＫにおける前記維持期間をＴ１と定義し、この維持期間Ｔ１とＫ＋１番目のサブフィールドの前記書込み期間との間の前記壁電圧調整期間をＴ２と定義した場合に、
Ｔ１＞（Ｎ−１）×Ｔ２の場合、前記Ｎ個の表示電極対グループの間で、前記サブフィールドＳＦＫについて前記維持期間及び前記壁電圧調整期間を各表示電極対グループ毎に設定する第１駆動方式とし、
Ｔ１＜（Ｎ−１）×Ｔ２の場合、前記Ｎ個の表示電極対グループの間で、前記サブフィールドＳＦＫについて前記維持期間及び前記壁電圧調整期間を同期させて設定する第２駆動方式とし、
さらに、前記１フィールドの期間に１回以上、全ての前記放電セルを一斉に初期化放電する全セル初期化期間を有し、
前記全セル初期化期間の直前に配置されるサブフィールドが、１フィールドの期間に含まれるＭ個のサブフィールドＳＦＬ（Ｌ＝１〜Ｍ）の中で輝度重み最小のサブフィールドであり、前記全セル初期化期間の直後に配置されるサブフィールドが、２番目に輝度重みが小さいサブフィールドであり、
前記輝度重み最小のサブフィールド以外が点灯する場合、２番目に輝度重みが小さいサブフィールドが点灯する、プラズマディスプレイパネルの駆動方法。
【手続補正書】
【提出日】平成22年10月21日(2010.10.21)
【手続補正１】
【補正対象書類名】明細書
【補正対象項目名】全文
【補正方法】変更
【補正の内容】
【発明の詳細な説明】
【技術分野】
【０００１】
本発明は、プラズマディスプレイパネルの駆動方法及びプラズマディスプレイパネルを用いた表示装置であるプラズマディスプレイ装置に関する。
【背景技術】
【０００２】
現在、プラズマディスプレイパネル（以下、「ＰＤＰ」と略記する）を用いた表示装置において、交流面放電型プラズマディスプレイ装置が代表的存在となっている。交流面放電型のＰＤＰには、前面基板と背面基板とを対向配置することにより、多数の放電セルが形成されている。以下、交流面放電型のＰＤＰの構成について説明する。
【０００３】
前面基板には、走査電極と維持電極とからなる表示電極対が、行方向に互いに平行に延びるよう複数形成されている。また、前面基板には、誘電体層及び保護層が表示電極対を覆うように積層されて形成されている。
背面基板には、列方向にデータ電極が互いに平行に延びるよう複数形成されている。また、背面基板には、誘電体層がデータ電極を覆うように形成され、更にその上には、格子状の隔壁が形成されている。誘電体層の上面と隔壁の側面とからなる空間には、赤色、緑色、青色にそれぞれ発光する蛍光体層が形成されている。
【０００４】
上記のように形成された前面基板と背面基板とは、表示電極対とデータ電極とが立体交差するように、微小な放電空間を挟んで対向配置され、その外周部は封着材により封着されている。内部の放電空間には、放電ガスが封入されている。このようにして、表示電極対とデータ電極とが交差する部分には、放電セルが形成される。各放電セル内においては、ガス放電により紫外線を発生させ、この紫外線により各蛍光体を励起発光させて、カラー表示を行う。
【０００５】
ＰＤＰの駆動方法としては、１フィールドの期間を、輝度重み付けされた複数のサブフィールドに分割し、発光させるサブフィールドの組み合わせによって階調表示を行うサブフィールド法が用いられる。各サブフィールドは、初期化期間、書込み期間及び維持期間を有する。
【０００６】
初期化期間では、表示電極対である走査電極及び維持電極に、所定の電圧を印加して初期化放電を発生させ、次の書込み動作に必要な壁電荷を各電極上に形成する。書込み期間では、走査電極に走査パルスを順次印加するとともに、表示する画像に応じて選択的に放電セルのデータ電極に書込みパルスを印加して書込み放電を発生させ、各電極上に壁電荷を形成する。維持期間では、走査電極と維持電極とからなる表示電極対に交互に維持パルスを印加して輝度重みに応じた時間だけ維持放電を発生させ、対応する放電セルの蛍光体層を発光させることにより画像表示を行う。
【０００７】
サブフィールド法の中でも、書込み期間と維持期間とを時間的に完全分離した、書込み・維持分離方式（ＡＤＳ（Address and Display Separation）方式）が、一般的に用いられている。ＡＤＳ方式の場合、書込み放電を発生させる放電セルと維持放電を発生させる放電セルとが共有するタイミングが存在しないので、書込み期間には書込み放電に最適な条件で、維持期間には維持放電に最適な条件で、ＰＤＰを駆動することができる。そのため、放電制御が比較的簡単であり、また、ＰＤＰの駆動マージンも大きく設定することができる。
【０００８】
その反面、ＡＤＳ方式は、書込み期間を除く期間に維持期間を設定するため、ＰＤＰの高精細度化等により書込み期間に要する時間が長くなると、画質を確保するための十分な維持パルス数もしくはサブフィールド数が確保できなくなる。例えば、２１６０ラインあるいは４３２０ラインといった超高精細度のＰＤＰを駆動するには、ＡＤＳ方式の場合、維持パルス数もしくはサブフィールド数を減少しなければ、１フィールドの時間を超えてしまう。
【０００９】
そこで、表示電極対を複数のブロックに分けて、複数のブロックのうち２つ以上のブロックの書込み期間が時間的に重ならないように、各ブロックでのサブフィールドの開始時間をずらして設定した駆動方法が開示されている（例えば、特許文献１参照）。
【先行技術文献】
【特許文献】
【００１０】
【特許文献１】特開２００５−１５７３３８号公報
【発明の概要】
【発明が解決しようとする課題】
【００１１】
しかしながら、特許文献１に開示されたような駆動方法の場合、駆動時間はブロック数、走査電極数、サブフィールド数、維持パルス数、書込み放電及び維持放電に要する時間等の諸条件にも依存している。このため、維持パルス数もしくはサブフィールド数を減少しなければ、１フィールドの時間を超えてしまい、十分な維持パルス数もしくはサブフィールド数を確保することができないおそれがある。
【００１２】
また、さらなるＰＤＰの高精細度化が進められており、例えば２１６０ラインあるいは４３２０ラインといった超高精細度のパネルを駆動する方法が望まれているが、高精細度化に伴って書込み期間に要する時間もさらに長くなる傾向がある。特許文献１に開示されたような駆動方法の場合、２つ以上のブロックの書込み期間が時間的に重ならないようにするため、同様に、１フィールドの時間を超えてしまい、十分な輝度を確保しながら、サブフィールド数を十分に確保することが困難である。
【００１３】
本発明は、このような課題に鑑みてなされたものであり、超大型・超高精細のＰＤＰであっても、十分な画質を確保するのに必要なサブフィールド数を１フィールド内に設定することができ、且つ十分な輝度を確保できるＰＤＰの駆動方法及びプラズマディスプレイ装置を提供することを目的とする。
【課題を解決するための手段】
【００１４】
上記課題を解決するために、本発明に係るプラズマディスプレイパネルの駆動方法は、走査電極と維持電極とから構成された表示電極対が並んで複数配置された第１基板と、前記第１基板と対向するように配置され、かつ複数のデータ電極が並んで複数の前記表示電極対に立体交差するように配置された第２基板とを備え、前記複数の表示電極対と前記複数のデータ電極とが立体交差する位置のそれぞれに放電セルが構成されたプラズマディスプレイパネルの駆動方法であって、前記複数の表示電極対をＮ（Ｎは２以上の整数）個の表示電極対グループに分割し、１フィールドを、前記放電セルの書込み放電に備えて前記放電セルの壁電圧を調整する壁電圧調整期間と、画像信号に応じて選択される放電セルを書込み放電させる書込み期間と、書込み放電した放電セルを維持放電させる維持期間と、を有したＭ個（Ｍは２以上の整数）のサブフィールドＳＦＬ（Ｌ＝１〜Ｍ）に分割し、Ｋ番目のサブフィールドＳＦＫにおける前記維持期間をＴ１と定義し、この維持期間Ｔ１とＫ＋１番目のサブフィールドの前記書込み期間との間の前記壁電圧調整期間をＴ２と定義した場合に、Ｔ１＞（Ｎ−１）×Ｔ２の場合、前記Ｎ個の表示電極対グループの間で、前記サブフィールドＳＦＫについて前記維持期間及び前記壁電圧調整期間を各表示電極対グループ毎に設定する第１駆動方式とし、Ｔ１＜（Ｎ−１）×Ｔ２の場合、前記Ｎ個の表示電極対グループの間で、前記サブフィールドＳＦＫについて前記維持期間及び前記壁電圧調整期間を同期させて設定する第２駆動方式とする。
【００１５】
また、上記課題を解決するために、本発明に係るプラズマディスプレイ装置は、走査電極と維持電極とから構成された表示電極対が並んで複数配置された第１基板と、前記第１基板と対向するように配置され、かつ複数のデータ電極が並んで複数の前記表示電極対に立体交差するように配置された第２基板とを備え、前記複数の表示電極対と前記複数のデータ電極とが立体交差する位置のそれぞれに放電セルが構成されたプラズマディスプレイパネルと、前記複数の表示電極対をＮ（Ｎは２以上の整数）分割したＮ個の表示電極対グループにそれぞれ属する走査電極を駆動するＮ個の走査電極駆動回路と、前記Ｎ個の表示電極対グループにそれぞれ属する維持電極を駆動するＮ個の維持電極駆動回路と、前記複数のデータ電極を駆動するデータ電極駆動回路と、を有し、更に、１フィールドを、前記放電セルの書込み放電に備えて前記放電セルの壁電圧を調整する壁電圧調整期間と、画像信号に応じて選択される放電セルを書込み放電させる書込み期間と、書込み放電した放電セルを維持放電させる維持期間と、を有したＭ個（Ｍは２以上の整数）のサブフィールドＳＦＬ（Ｌ＝１〜Ｍ）に分割し、Ｋ番目のサブフィールドＳＦＫにおける前記維持期間をＴ１と定義し、この維持期間Ｔ１とＫ＋１番目のサブフィールドの前記書込み期間との間の前記壁電圧調整期間をＴ２と定義した場合に、Ｔ１＞（Ｎ−１）×Ｔ２の場合、前記Ｎ個の表示電極対グループの間で、前記サブフィールドＳＦＫについて前記維持期間及び前記壁電圧調整期間を各表示電極対グループ毎に設定する第１駆動方式とし、Ｔ１＜（Ｎ−１）×Ｔ２の場合、前記Ｎ個の表示電極対グループの間で、前記サブフィールドＳＦＫについて前記維持期間及び前記壁電圧調整期間を同期させて設定する第２駆動方式とするよう、前記Ｎ個の走査電極駆動回路、前記Ｎ個の維持電極駆動回路及び前記データ電極駆動回路を制御する制御回路と、を有する。
【００１６】
以上の構成によれば、第１駆動方式においては、１つのサブフィールドについて、前記書込み期間、前記維持期間、及び前記壁電圧調整期間を各表示電極対グループ毎に設定するので、当該サブフィールドについて、１つの表示電極対グループにおいて書込みが終了した後、引き続き他の表示電極対グループにおける書込みを行う際にこれと同時に維持放電を行うよう前記書込み期間及び維持期間を設定することにより、十分な画質を確保するのに必要なサブフィールド数を１フィールド内に設定することができ、且つ十分な輝度を確保することができる。一方、次の書込みに備えて壁電圧を調整する観点からは、いずれかの表示電極対グループが壁電圧調整期間にあるときは、残りの表示電極対グループでは書込み動作を制限することが望ましい。この望ましい構成を採用すると、いずれかの表示電極対グループが壁電圧調整期間にあるときに書込み動作を中止することとなり、その中止期間の分、駆動時間が長くなる。その結果、維持期間Ｔ１と壁電圧調整期間Ｔ２とが特定の条件を満たす場合（Ｔ１＞（Ｎ−１）×Ｔ２の場合）にのみ、第１駆動方式の方が、第２駆動方式より駆動時間が短くなる。そこで、維持期間Ｔ１と壁電圧調整期間Ｔ２とが特定の条件（Ｔ１＞（Ｎ−１）×Ｔ２）を満たすか否かに応じて、第１駆動方式又は第２駆動方式とすることにより、駆動時間を短縮することができる。
【００１７】
本発明の上記目的、他の目的、特徴、及び利点は、添付図面参照の下、以下の好適な実施態様の詳細な説明から明らかにされる。
【発明の効果】
【００１８】
本発明のプラズマディスプレイパネルの駆動方法、及び、その駆動方法を用いたプラズマディスプレイ装置によれば、超大型・超高精細のＰＤＰであっても、高画質を実現するための十分なサブフィールド数を確保し、十分な輝度を得ることができる。
【図面の簡単な説明】
【００１９】
【図１】図１は本発明の実施の形態１におけるＰＤＰの構造を示す分解斜視図である。
【図２】図２は本発明の実施の形態１におけるＰＤＰの電極配列図である。
【図３】図３は本発明の実施の形態１における駆動電圧波形のサブフィールド構成図である。
【図４】図４は本発明の実施の形態１における第２駆動方式と第１駆動方式の選択方法を説明する図である。
【図５】図５は本発明の実施の形態１におけるＰＤＰの各電極に印加する駆動電圧の波形図である。
【図６】図６は本発明の実施の形態１におけるランプ形状の消去波形を印加する場合の駆動電圧の波形図である。
【図７】図７は本発明の実施の形態１における別の駆動電圧波形のサブフィールド構成図である。
【図８】図８は本発明の実施の形態１における別の駆動電圧波形のサブフィールド構成図である。
【図９】図９は本発明の実施の形態１における別の駆動電圧波形のサブフィールド構成図である。
【図１０】図１０は本発明の実施の形態１における別の駆動電圧波形のサブフィールド構成図である。
【図１１】図１１は本発明の実施の形態１におけるプラズマディスプレイ装置の回路ブロック図である。
【図１２】図１２は本発明の実施の形態１におけるプラズマディスプレイ装置の走査電極駆動回路の回路図である。
【図１３】図１３は本発明の実施の形態１におけるプラズマディスプレイ装置の維持電極駆動回路の回路図である。
【図１４】図１４は本発明の実施の形態２におけるＰＤＰの電極配列図である。
【図１５】図１５は本発明の実施の形態２における駆動電圧波形のサブフィールド構成図である。
【図１６】図１６は本発明の実施の形態４における駆動方法及び表示電極対の数の設定方法について説明する図である。
【図１７】図１７は本発明の実施の形態４における駆動電圧波形のサブフィールド構成図である。
【発明を実施するための形態】
【００２０】
以下、本発明の実施の形態を、図面を参照しながら説明する。
【００２１】
（実施の形態１）
＜ＰＤＰ１０の構成＞
図１は、本発明の実施の形態１に係るＰＤＰ１０の構造を示す分解斜視図である。図１に示すように、ガラス製の前面基板２１（第１基板）上には、走査電極２２と維持電極２３とで構成された表示電極対２４が、複数形成されている。走査電極２２及び維持電極２３は、走査電極２２と維持電極２３との間の放電ギャップで放電を発生させて光を取り出すために、幅の広い透明電極２２ａ及び透明電極２３ａをそれぞれ有する。透明電極２２ａ及び透明電極２３ａの上には、幅の狭いバス電極２２ｂ及びバス電極２３ｂが、上記放電ギャップから遠い位置にそれぞれ積層されている。また、前面基板２１上には、走査電極２２と維持電極２３を覆うように、誘電体層２５及び保護層２６が積層されて形成されている。
【００２２】
背面基板３１（第２基板）上には、データ電極３２が互いに平行になるよう複数形成されている。また、背面基板３１上には、データ電極３２を覆うように、誘電体層３３が形成され、さらにその上には、格子状の隔壁３４が形成されている。誘電体層３３の上面と隔壁３４の側面とからなる空間には、赤色、緑色、青色にそれぞれ発光する蛍光体層３５が設けられている。
【００２３】
上記のようにして形成された前面基板２１と背面基板３１とは、表示電極対２４とデータ電極３２とが立体交差する（以下、「交差する」と略記する場合がある）ように、微小な放電空間を挟んで対向配置され、その外周部は、ガラスフリット等の封着材により封着されている。内部の放電空間には、例えば、ネオン、アルゴン、キセノンといった希ガスあるいはそれらの混合ガスが、放電ガスとして封入され、隔壁３４により複数の空間に区画されている。このようにして、本実施の形態１に係るＰＤＰ１０が構成され、表示電極対２４とデータ電極３２とが交差する部分に、放電セルが形成される。各放電セル内においては、ガス放電により発生させた紫外線で各蛍光体を励起発光させて、カラー表示を行う。なお、ＰＤＰ１０の構造は上述したものに限られることはなく、例えば、ストライプ状の隔壁３４を備えたものであってもよい。
【００２４】
図２は、本発明の実施の形態１におけるＰＤＰ１０の電極配列図である。図２に示すように、本実施の形態１におけるＰＤＰ１０には、走査電極２２（ＳＣ１〜ＳＣ２１６０）及び維持電極２３（ＳＵ１〜ＳＵ２１６０）が行方向に延びるように配置され、データ電極３２（Ｄ１〜Ｄｍ）が行方向に直交する列方向に延びるように配列されている。図２において、放電セルは、例えば、一対の走査電極ＳＣ２及び維持電極ＳＵ２と、１つのデータ電極Ｄ２とが交差した部分に形成されており、全体としては放電空間内にｍ×２１６０個形成されている。なお、本実施の形態１において、表示電極対２４の数を２１６０本としたが、これに限られることはなく、特に制限はない。
【００２５】
走査電極ＳＣ１〜ＳＣ２１６０及び維持電極ＳＵ１〜ＳＵ２１６０からなる表示電極対２４（２１６０対）は、複数の表示電極対グループに分けられる。図２に示すように、本実施の形態１においては、ＰＤＰ１０を上下方向に２分割して、上半分に位置する表示電極対２４（走査電極ＳＣ１〜ＳＣ１０８０及び維持電極ＳＵ１〜ＳＵ１０８０）を第１の表示電極対グループＩ、下半分に位置する表示電極対２４（走査電極ＳＣ１０８１〜ＳＣ２１６０及び維持電極ＳＵ１０８１〜ＳＵ２１６０）を第２の表示電極対グループIIとする。なお、表示電極対グループの数Ｎの決め方については後述する。また、本実施の形態１においては、ＰＤＰ１０を上下２分割して２つの表示電極対グループに分けたが、２つの表示電極対グループを奇数番目と偶数番目でインターレス分割してもよい。すなわち、走査電極ＳＣ１、ＳＣ３、・・・ＳＣ２１５９および維持電極ＳＵ１、ＳＵ３、・・・ＳＵ２１５９を第１の表示電極対グループIとし、走査電極ＳＣ２、ＳＣ４、・・・ＳＣ２１６０および維持電極ＳＵ２、ＳＵ４、・・・ＳＵ２１６０を第２の表示電極対グループＩＩとしてもよい（図示せず）。インターレス分割の場合、表示電極対グループ毎の輝度差が緩和されて画質が向上するので好ましい。
【００２６】
＜ＰＤＰ１０の駆動方法＞
図３は、本発明の実施の形態１におけるＰＤＰ１０の走査電極ＳＣ１〜ＳＣ２１６０に印加する際の駆動電圧波形のサブフィールド構成図である。なお、本実施の形態１においては、１フィールドの時間（期間）を例えば、１６．７ｍｓとする。１フィールドの期間は、輝度重み付けされたＭ個（Ｍは２以上の整数）のサブフィールドＳＦＬ（Ｌ＝１〜Ｍ）に分割されている。図３に示す例では、１フィールドに１０個のサブフィールドＳＦ１〜ＳＦ１０が含まれる場合である。
【００２７】
各サブフィールドは、初期化期間、書込み期間、消去期間、及び維持期間を有する。初期化期間は、初期化放電を発生させて次の書込み動作に必要な壁電圧（壁電荷）を各電極上に形成する期間である。書込み期間は、表示する画像に応じて選択的に書込み放電を発生させて各電極上に次の維持放電に必要な壁電圧（壁電荷）を形成する期間である。維持期間は、輝度重みに応じた時間だけ維持放電を発生させる期間である。消去期間は、消去放電を発生させて不要な壁電圧（壁電荷）を消去する期間である。
【００２８】
ここで、消去期間と初期化期間との機能（役割）を考察すると、これらの期間はあるサブフィールドの維持期間と次のサブフィールドの書込み期間との間において、次の書込み動作に備えて（次の書込み動作が適切に行えるように）壁電圧（壁電荷）を調整する期間であるとみなすことができる。そこで、本発明では、あるサブフィールドの維持期間と次のサブフィールドの書込み期間との間の期間を「壁電圧調整期間」と定義する。換言すると、あるサブフィールドの維持期間と次のサブフィールドの書込み期間との間に位置し、次の書込み動作に備えて（次の書込み動作が適切に行えるように）壁電圧（壁電荷）を調整する期間を「壁電圧調整期間」と定義する。図３に示す例では、消去期間とこれに続く初期化期間とが壁電圧調整期間に相当する。サブフィールドは、消去期間を省略するよう構成することができる。この場合には、壁電圧調整期間は、実質的に初期化期間のみよって構成され、かつサブフィールドの先頭に位置する。また、サブフィールドは、消去期間から初期化期間に徐々に移行し、両者の境界が判然としないように構成することができる。この場合には、壁電圧調整期間は互いに前後する２つのサブフィールドに跨って位置する。さらに、サブフィールドは、消去期間と初期化期間とが時系列的に重複して（部分的又は全部重複して）遂行されるよう構成し、あるいは消去期間と初期化期間とが混然かつ一体的に遂行されるよう構成することができる。これらの場合には、壁電圧調整期間は互いに前後する２つのサブフィールドに跨って位置し、あるいはサブフィールドの先頭に位置する。
【００２９】
図３に示すように、本実施の形態１におけるＰＤＰ１０の駆動方法では、第１の表示電極対グループＩと第２の表示電極対グループIIとの間で、少なくとも維持期間と壁電圧調整期間とを同期させるサブフィールド（ＳＦ７〜ＳＦ１０）が存在する。つまり、かかるサブフィールドの中で書込み期間、維持期間、及び壁電圧調整期間が時間的に完全に分離している。このようなサブフィールドの駆動方式のことを第２駆動方式と呼ぶ。
第２駆動方式以外のサブフィールド（ＳＦ１〜ＳＦ６）では、第１の表示電極対グループＩと第２の表示電極対グループIIとの間で、維持期間と壁電圧調整期間とを各表示電極対グループ毎に配置している。さらに、かかるサブフィールドでは、壁電圧調整期間を除く期間において、いずれかの表示電極対グループにおいて連続して書込み動作を行うように、書込み期間を配置している。このようなサブフィールドの駆動方式のことを第１駆動方式と呼ぶ。なお、第１駆動方式及び第２駆動方式いずれの駆動方式であっても、いずれかの表示電極対グループが壁電圧調整期間にある期間は、書込み動作を禁止（制限）している。
【００３０】
第１駆動方式又は第２駆動方式の選択は、維持期間の長さと、当該維持期間と次のサブフィールドの書込み期間との間の壁電圧調整期間の長さとを、１フィールド中のサブフィールド毎に比較し、駆動時間が短縮される方式を選択する。尚、以下の実施の形態の説明では、壁電圧調整期間が消去期間と初期化期間とで構成される、すなわち、壁電圧調整期間＝消去期間＋初期化期間である例を説明する。
【００３１】
図４は、本発明の実施の形態１における第１駆動方式又は第２駆動方式の選択を説明する図である。図４に示す第２駆動方式によるサブフィールドの駆動時間を（式１）で、第１駆動方式によるサブフィールドの駆動時間を（式２）で表すことができる。なお、このサブフィールドの駆動時間は、あるサブフィールドの書込み期間の開始から当該サブフィールドの維持期間と次のサブフィールドの書込み期間との間の壁電圧調整期間の終了までの時間で表す。
【００３２】
（式１）第２駆動方式による駆動時間＝書込み期間＋維持期間＋壁電圧調整期間
（式２）第１駆動方式による駆動時間＝書込み期間＋壁電圧調整期間×２
上記より、第２駆動方式による駆動時間と第１駆動方式による駆動時間との差を（式３）で表すことができる。
【００３３】
（式３）駆動時間差＝維持期間（Ｔ１）−壁電圧調整期間（Ｔ２）
この結果、維持期間（Ｔ１）が壁電圧調整期間（Ｔ２）よりも長い場合には第１駆動方式を、維持期間（Ｔ１）が壁電圧調整期間（Ｔ２）より短い場合は第２駆動方式を選択することによって、サブフィールドの駆動時間を短縮することができる。
【００３４】
なお、正確には（式１）と（式２）とが対象とする壁電圧調整期間は異なる。ただし、各壁電圧調整期間の長さは、後述する全セル初期化期間以外、ほぼ同じである。また、ここでは、壁電圧調整期間（Ｔ２）＝消去期間（Ｔ３）＋初期化期間（Ｔ４）である。
【００３５】
＜第１駆動方式又は第２駆動方式を選択することによる具体的効果＞
ランプ形状の消去放電の波形と初期化放電の波形の場合、壁電圧調整期間（消去期間＋初期化期間）が１５５μｓ必要となる。このため、維持パルス幅を５μｓとすると、維持パルスが３１発以下のサブフィールドは第２駆動方式が選択され、維持パルスが３２発以上のサブフィールドは第１駆動方式が選択される。なお、第２駆動方式も第１駆動方式も駆動時間差がない場合は、どちらを選択してもよい。
【００３６】
例えば、Ｎｅ９０％、Ｘｅ１０％程度の放電ガスを用いるＰＤＰで十分な輝度を得るには、１フィールドに維持パルスが７６５発ほど必要である。このときの各サブフィールドの維持パルスの数は、ＳＦ１からＳＦ１０の順に「２４２」、「１７９」、「１３１」、「９０」、「５４」、「３３」、「１８」、「９」、「６」、「３」となる。したがって、ＳＦ１〜ＳＦ１０がすべて第１駆動方式である場合と対比して、維持パルスが３１発以下であるＳＦ７〜ＳＦ１０を第２駆動方式にすることで、駆動時間を４２５μｓ短縮することができる。
【００３７】
なお、放電ガスとしてＸｅ分圧比が高いＰＤＰを使用する場合、又は、シネマモードや電力削減モードなど十分な輝度を必要としない場合は、維持パルスの数を減少させることができるため、第２駆動方式を選択することができるサブフィールドが増加し、駆動時間をさらに短縮することができる。この結果、短縮した駆動時間分を、駆動マージンや画質の向上に使用することができる。  
【００３８】
＜ＰＤＰ１０の駆動方法の具体例＞
図３を用いて、本実施の形態１におけるＰＤＰ１０の駆動方法を説明する。なお、図３では、１フィールドの期間をＳＦ１〜ＳＦ１０に分割しているが、これに限られることはない。
【００３９】
図３に示すように、まず、１フィールドの最初のサブフィールド（ＳＦ１）に、全セル初期化期間を設け、全ての放電セルを一斉に初期化放電する。
【００４０】
次に、第１の表示電極対グループＩでは、走査電極ＳＣ１〜ＳＣ１０８０に走査パルスを順次印加して、ＳＦ１における書込み期間を開始する。このとき、連続して書込み動作が行われるように、走査パルスを可能な限り短く、かつ、可能な限り連続して印加することが望ましい。一方、第２の表示電極対グループIIは、第１の表示電極対グループＩの書込み期間の間、詳細については後述するが、放電の発生しない休止期間となる。
【００４１】
第１の表示電極対グループＩのＳＦ１における書込み期間終了後、ＳＦ１の維持期間とこの維持期間と次のサブフィールドの書込み期間との間の壁電圧調整期間、すなわち、（ＳＦ１の消去期間＋ＳＦ２の初期化期間）とを比較する。図３の場合では、ＳＦ１の維持期間の方が長いため、第１駆動方式を選択する。したがって、第１の表示電極対グループＩではＳＦ１における維持期間を開始するとともに、第２の表示電極対グループIIではＳＦ１における書込み期間を開始する。
【００４２】
第１の表示電極対グループＩでは、ＳＦ１における維持期間が終了すると消去期間へと移り、維持期間で放電した放電セルに対して消去放電を発生させる。消去期間終了後には、ＳＦ２における初期化期間を開始し、次の書込み動作に向けた初期化放電を発生させる。
【００４３】
一方、第２の表示電極対グループIIでは、第１の表示電極対グループＩの壁電圧調整期間、すなわち、消去期間及び初期化期間の間、書込み動作を停止する。すなわち、本実施の形態１では、第１の表示電極対グループＩと第２の表示電極対グループIIのいずれかが壁電圧調整期間（消去期間及び初期化期間）に該当するときは、書込み動作を停止する。これは、消去期間及び初期化期間は壁電圧を消去するだけでなく、次の書込み期間の書込み動作に備えて、データ電極上の壁電圧を調整する期間でもあるため、データ電極の電圧を固定しておいた方がよいからである。
【００４４】
第１の表示電極対グループＩのＳＦ２における初期化期間終了後、第２の表示電極対グループIIでは、ＳＦ１における書込み動作を再開する。そして、第２の表示電極対グループIIのＳＦ１における書込み動作終了後、第１の表示電極対グループＩでは、ＳＦ２における書込み動作を開始するとともに、第２の表示電極対グループIIでは、ＳＦ１における維持期間を開始する。
【００４５】
第２の表示電極対グループIIでは、ＳＦ１における維持期間が終了すると消去期間へと移り、維持期間で放電した放電セルに対して消去放電を発生させる。消去期間終了後には、ＳＦ２における初期化期間を開始し、次の書込み動作に向けた初期化放電を発生させる。
【００４６】
上述したように、第１の表示電極対グループＩでは、第２の表示電極対グループIIの壁電圧調整期間、すなわち、消去期間及び初期化期間の間、書込み動作を停止する。そして、第２の表示電極対グループIIのＳＦ２における初期化期間終了後、第１の表示電極対グループＩでは、ＳＦ２における書込み動作を再開する。
【００４７】
こうして、全セル初期化期間から第１の表示電極対グループＩのＳＦ７における書込み期間終了まで、上記の第１駆動方式における動作を繰り返す。
【００４８】
第１の表示電極対グループＩのＳＦ７における書込み期間終了後、ＳＦ７の維持期間とこの維持期間と次のサブフィールドの書込み期間との間の壁電圧調整期間（ＳＦ７の消去期間＋ＳＦ８の初期化期間）とを比較する。図３の場合では、ＳＦ７の維持期間の方が短いため、第２駆動方式を選択する。したがって、第２の表示電極対グループIIのＳＦ７における書込み期間が終了するのを待って、第１の表示電極対グループＩ及び第２の表示電極対グループIIの間で、ＳＦ７の維持期間を同期させて開始する。そして、ＳＦ７〜ＳＦ１０の維持期間は壁電圧調整期間よりも短いため、ＳＦ７の維持期間からＳＦ１０の消去期間終了まで第２駆動方式が選択されて、１フィールドが終了する。
【００４９】
＜ＰＤＰ１０の駆動電圧波形の詳細とその動作＞
図５は、本発明の実施の形態１におけるＰＤＰ１０の各電極に印加する駆動電圧の波形図である。上述したように、本実施の形態１においては、１フィールドの最初のサブフィールド（ＳＦ１）に、全ての放電セルで初期化放電を発生させる全セル初期化期間を設けている。また、第１の表示電極対グループＩ及び第２の表示電極対グループIIの各サブフィールドにおける維持期間の後に、維持期間で放電した放電セルに対して消去放電を発生させる消去期間と、次のサブフィールドで初期化放電を発生させる初期化期間を設けている。なお、図５では、ＳＦ１を第１駆動方式による駆動、ＳＦ２を第２駆動方式による駆動とした場合を示しているが、これに限られることはない。
【００５０】
図５に示すように、全セル初期化期間では、まず、データ電極Ｄ１〜Ｄｍ及び維持電極ＳＵ１〜ＳＵ２１６０にそれぞれ０Ｖを印加する。走査電極ＳＣ１〜ＳＣ２１６０には、維持電極ＳＵ１〜ＳＵ２１６０とデータ電極Ｄ１〜Ｄｍに対して放電開始電圧以下の電圧Ｖ１から放電開始電圧を超える電圧Ｖ２に向かって緩やかに上昇する傾斜波形電圧を印加する。この傾斜波形電圧が上昇する間、走査電極ＳＣ１〜ＳＣ２１６０と維持電極ＳＵ１〜ＳＵ２１６０との間、及び、走査電極ＳＣ１〜ＳＣ２１６０とデータ電極Ｄ１〜Ｄｍとの間で、微弱な初期化放電が発生する。これにより、走査電極ＳＣ１〜ＳＣ２１６０上には、負の壁電圧が蓄積されるとともに、データ電極Ｄ１〜Ｄｍ上及び維持電極ＳＵ１〜ＳＵ２１６０上には、正の壁電圧が蓄積される。ここで、電極上の壁電圧とは、電極を覆う誘電体層上、保護層上、蛍光体層上等に蓄積された壁電荷により生じる電圧を表す。なお、この期間はデータ電極Ｄ１〜Ｄｍに電圧Ｖｄを印加してもよい。
【００５１】
次に、データ電極Ｄ１〜Ｄｍに電圧０（Ｖ）を印加し、維持電極ＳＵ１〜ＳＵ２１６０には、正の電圧Ｖｅ１を印加する。走査電極ＳＣ１〜ＳＣ２１６０には、維持電極ＳＵ１〜ＳＵ２１６０とデータ電極Ｄ１〜Ｄｍに対して放電開始電圧以下となる電圧Ｖ３から放電開始電圧を超える電圧Ｖ４に向かって緩やかに下降する傾斜波形電圧を印加する。この傾斜波形電圧が下降する間、走査電極ＳＣ１〜ＳＣ２１６０と維持電極ＳＵ１〜ＳＵ２１６０との間、及び、走査電極ＳＣ１〜ＳＣ２１６０とデータ電極Ｄ１〜Ｄｍとの間で、微弱な初期化放電が発生する。これにより、走査電極ＳＣ１〜ＳＣ２１６０上の負の壁電圧及び維持電極ＳＵ１〜ＳＵ２１６０上の正の壁電圧が弱められるとともに、データ電極Ｄ１〜Ｄｍ上の正の壁電圧は書込み動作に適した値に調整される。
【００５２】
その後、走査電極ＳＣ１〜ＳＣ２１６０に電圧Ｖｃを印加して、全ての放電セルに対して初期化放電を行う初期化動作を終了する。
【００５３】
全セル初期化期間終了後、第１の表示電極対グループＩでは、ＳＦ１における書込み期間を開始する。この書込みは、シングルスキャン方式で、以下のように１０８０ラインに順次書込みを行う。具体的には、維持電極ＳＵ１〜ＳＵ１０８０には、正の電圧Ｖｅ２を印加する。１ライン目の走査電極ＳＣ１には、負の電圧Ｖａを持つ走査パルスを印加するとともに、発光させるべき放電セルのデータ電極Ｄｋ（ｋは１〜ｍのいずれか）には、正の電圧Ｖｄを持つ書込みパルスを印加する。この時、データ電極Ｄｋと走査電極ＳＣ１との交差部の電圧差は、外部印加電圧の差（書込みパルス電圧Ｖｄ−走査パルス電圧Ｖａ）にデータ電極Ｄｋ上の壁電圧と走査電極ＳＣ１上の壁電圧との差を加算したものとなり、放電開始電圧を超える。これにより、データ電極Ｄｋと走査電極ＳＣ１との間で放電が開始されて、後に維持電極ＳＵ１と走査電極ＳＣ１との間の放電へと進展し、書込み放電が発生する。その結果、走査電極ＳＣ１上には、正の壁電圧が蓄積され、維持電極ＳＵ１上及びデータ電極Ｄｋ上には、負の壁電圧が蓄積される。
【００５４】
一方、書込みパルス電圧Ｖｄを印加しなかったデータ電極と走査電極ＳＣ１との交差部の電圧は、放電開始電圧を超えないので、書込み放電は発生しない。
【００５５】
次に、２ライン目の走査電極ＳＣ２に走査パルス電圧Ｖａを印加するとともに、発光させるべき放電セルのデータ電極Ｄｋに書込みパルス電圧Ｖｄを印加する。この時、走査パルス電圧Ｖａと書込みパルス電圧Ｖｄとが同時に印加された２ライン目の放電セルでは、書込み放電が発生し、書込み動作が行われる。
【００５６】
上記書込み動作を第１の表示電極対グループＩに属する１０８０ライン目の放電セルに至るまで繰り返し、発光させるべき放電セルに対して選択的に書込み放電を発生させて、各電極上に壁電荷を形成する。
【００５７】
第１の表示電極対グループＩの書込み期間の間、第２の表示電極対グループIIに属する走査電極ＳＣ１０８１〜ＳＣ２１６０には電圧Ｖｃが、維持電極ＳＵ１０８１〜ＳＵ２１６０には電圧Ｖｅ１が、それぞれ印加されたままで、放電の発生しない休止期間となる。
【００５８】
ＳＦ１における１０８０ライン目の走査電極ＳＣ１０８０への書込み動作終了後、ＳＦ１の維持期間とこの維持期間と次のサブフィールドの書込み期間との間の壁電圧調整期間（ＳＦ１の消去期間＋ＳＦ２の初期化期間）とを比較する。例えば、ＳＦ１の維持パルスが９０発とすると、ＳＦ１の維持期間は９０×５μｓ＝４５０μｓ、壁電圧調整期間（ＳＦ１の消去期間＋ＳＦ２の初期化期間）は１５０μｓであって、ＳＦ１の維持期間の方が長い。したがって、第１駆動方式を選択して、第１の表示電極対グループＩではＳＦ１における維持期間を、第２の表示電極対グループIIではＳＦ１における書込み期間を、同時に開始する。
【００５９】
第１の表示電極対グループＩのＳＦ１における維持期間では、走査電極ＳＣ１〜ＳＣ１０８０及び維持電極ＳＵ１〜ＳＵ１０８０に、例えば、９０発の維持パルスを交互に印加して、書込み放電を行った放電セルを発光させる。維持期間の具体的な動作は、以下の通りである。
【００６０】
まず、走査電極ＳＣ１〜ＳＣ１０８０に正の電圧Ｖｓを持つ維持パルスを印加するとともに、維持電極ＳＵ１〜ＳＵ１０８０に０Ｖを印加する。この時、書込み放電を発生させた放電セルでは、走査電極ＳＣｉ（ｉは１〜１０８０のいずれか）と維持電極ＳＵｉ（ｉは１〜１０８０のいずれか）との電圧差が、維持パルス電圧Ｖｓに走査電極ＳＣｉ上の壁電圧と維持電極ＳＵｉ上の壁電圧との差を加算したものとなり、放電開始電圧を超える。これにより、走査電極ＳＣｉと維持電極ＳＵｉとの間で維持放電が発生し、放電ガスを励起する。励起された放電ガスが安定状態に遷移する時に発生した紫外線により、蛍光体層３５が発光する。その結果、走査電極ＳＣｉ上には、負の壁電圧が蓄積され、維持電極ＳＵｉ上には、正の壁電圧が蓄積される。
【００６１】
一方、書込み期間において、書込み放電を発生させなかった放電セルでは、維持放電は発生せず、初期化期間の終了時における各電極上の壁電圧が保たれる。
【００６２】
次に、走査電極ＳＣ１〜ＳＣ１０８０に０Ｖを印加し、維持電極ＳＵ１〜ＳＵ１０８０に正の維持パルス電圧Ｖｓを印加する。この時、維持放電を発生させた放電セルでは、維持電極ＳＵｉと走査電極ＳＣｉとの電圧差が放電開始電圧を超えるので、再び維持電極ＳＵｉと走査電極ＳＣｉとの間で維持放電が発生する。その結果、維持電極ＳＵｉ上には、負の壁電圧が蓄積され、走査電極ＳＣｉ上には、正の壁電圧が蓄積される。
【００６３】
以降同様に、走査電極ＳＣ１〜ＳＣ１０８０と維持電極ＳＵ１〜ＳＵ１０８０とに交互に維持パルス電圧Ｖｓを印加して、走査電極ＳＣ１〜ＳＣ１０８０と維持電極ＳＵ１〜ＳＵ１０８０との間に電位差を与えることにより、書込み期間において書込み放電を発生させた放電セルで、維持放電が継続して行われる。
【００６４】
維持期間終了後の消去期間では、走査電極ＳＣ１〜ＳＣ１０８０と維持電極ＳＵ１〜ＳＵ１０８０との間に、いわゆる細幅パルス状の電圧差を与えて、データ電極Ｄｋ上の正の壁電圧を残したまま、走査電極ＳＣｉ上及び維持電極ＳＵｉ上の壁電圧を消去する。本実施の形態１では、走査電極ＳＣ１〜ＳＣ１０８０に電圧Ｖｓを印加した後すぐに維持電極ＳＵ１〜ＳＵ１０８０に電圧Ｖｅ１を印加することによって消去放電を実現している。
【００６５】
消去期間終了後、第１の表示電極対グループＩでは、ＳＦ２における初期化期間を開始する。維持電極ＳＵ１〜ＳＵ１０８０には、正の電圧Ｖｅ１を印加し、走査電極ＳＣ１〜ＳＣ１０８０には、電圧Ｖｓから電圧Ｖ４に向かって緩やかに下降する傾斜波形電圧を印加する。この傾斜波形電圧が下降する間、走査電極ＳＣ１〜ＳＣ１０８０と維持電極ＳＵ１〜ＳＵ１０８０との間、及び、走査電極ＳＣ１〜ＳＣ１０８０とデータ電極Ｄ１〜Ｄｍとの間で、微弱な初期化放電が発生する。これにより、走査電極ＳＣ１〜ＳＣ１０８０上の負の壁電圧及び維持電極ＳＵ１〜ＳＵ１０８０上の正の壁電圧が弱められるとともに、データ電極Ｄ１〜Ｄｍ上の正の壁電圧は書込み動作に適した値に調整される。
【００６６】
その後、走査電極ＳＣ１〜ＳＣ１０８０に電圧Ｖｃを印加して、ＳＦ１で維持放電した放電セルに対して初期化放電を行う初期化動作を終了する。
第２の表示電極対グループIIのＳＦ１における書込み期間では、維持電極ＳＵ１０８１〜ＳＵ２１６０に正の電圧Ｖｅ２を印加する。第２の表示電極対グループIIの１ライン目となる走査電極ＳＣ１０８１には、負の電圧Ｖａを持つ走査パルスを印加するとともに、発光させるべき放電セルのデータ電極Ｄｋ（ｋは１〜ｍのいずれか）には、正の電圧Ｖｄを持つ書込みパルスを印加する。この時、データ電極Ｄｋと走査電極ＳＣ１０８１との交差部の電圧差は、外部印加電圧の差（書込みパルス電圧Ｖｄ−走査パルス電圧Ｖａ）にデータ電極Ｄｋ上の壁電圧と走査電極ＳＣ１０８１上の壁電圧との差を加算したものとなり、放電開始電圧を超える。これにより、データ電極Ｄｋと走査電極ＳＣ１０８１との間で放電が開始されて、後に維持電極ＳＵ１０８１と走査電極ＳＣ１０８１との間の放電へと進展し、書込み放電が発生する。その結果、走査電極ＳＣ１０８１上には、正の壁電圧が蓄積され、維持電極ＳＵ１０８１上及びデータ電極Ｄｋ上には、負の壁電圧が蓄積される。
【００６７】
次に、第２の表示電極対グループIIの２ライン目となる走査電極ＳＣ１０８２に走査パルス電圧Ｖａを印加するとともに、発光させるべき放電セルのデータ電極Ｄｋに書込みパルス電圧Ｖｄを印加する。この時、走査パルス電圧Ｖａと書込みパルス電圧Ｖｄとが同時に印加された１０８２ライン目（第２の表示電極対グループIIにおける２ライン目）の放電セルでは、書込み放電が発生し、書込み動作が行われる。
【００６８】
上記書込み動作を第２の表示電極対グループIIに属する２１６０ライン目の放電セルに至るまで繰り返し、発光させるべき放電セルに対して選択的に書込み放電を発生させて、各電極上に壁電荷を形成する。
【００６９】
上述したように、本実施の形態１では、第１の表示電極対グループＩと第２の表示電極対グループIIのいずれかが、壁電圧調整期間（消去期間及び初期化期間）に該当するときは、書込み動作を停止する。これは、壁電圧調整期間（消去期間及び初期化期間）は壁電圧を消去するだけでなく、次の書込み期間の書込み動作に備えて、データ電極上の壁電圧を調整する期間でもあるため、データ電極の電圧を固定しておいた方がよいからである。したがって、第１の表示電極対グループＩのＳＦ２における初期化期間が終了するのを待って、第２の表示電極対グループIIでは、ＳＦ１における書込み動作を再開し、２１６０ライン目の放電セルに至るまで、上記動作を繰り返す。
【００７０】
ＳＦ２における初期化期間を終了した第１の表示電極対グループＩの書込み期間では、ＳＦ１の書込み期間と同様、維持電極ＳＵ１〜ＳＵ１０８０には、正の電圧Ｖｅ２を印加する。走査電極ＳＣ１〜ＳＣ１０８０には、走査パルス電圧Ｖａを順次印加するとともに、発光させるべき放電セルのデータ電極Ｄｋには、書込みパルス電圧Ｖｄを印加する。これにより、１〜１０８０ライン目の放電セルで書込み動作が行われる。
【００７１】
上記第１の表示電極対グループＩのＳＦ２における書込み期間と同時に、第２の表示電極対グループIIでは、ＳＦ１における維持期間を開始する。具体的には、走査電極ＳＣ１０８１〜ＳＣ２１６０及び維持電極ＳＵ１０８１〜ＳＵ２１６０に、例えば、９０発の維持パルスを交互に印加して、書込み放電を行った放電セルを発光させる。維持期間終了後には消去期間、消去期間終了後にはＳＦ２における初期化期間を順次開始する。
【００７２】
上述したように、第２の表示電極対グループIIが壁電圧調整期間（消去期間及び初期化期間）に該当するとき、第１の表示電極対グループＩでは、ＳＦ２における書込み動作を停止する。第２の表示電極対グループIIのＳＦ２における初期化期間終了後、第１の表示電極対グループＩでは、ＳＦ２における書込み動作を再開し、１０８０ライン目の放電セルに至るまで、上記動作を繰り返す。
【００７３】
なお、第２の表示電極対グループIIの維持期間、消去期間、及び、初期化期間の詳細な動作については、第１の表示電極対グループＩと同様であるので、説明を省略する。
【００７４】
第１の表示電極対グループＩのＳＦ２における走査電極ＳＣ１〜ＳＣ１０８０への書込み動作終了後、ＳＦ２の維持期間とこの維持期間と次のサブフィールドの書込み期間との間の壁電圧調整期間（ＳＦ２の消去期間＋ＳＦ３の初期化期間）とを比較する。例えば、ＳＦ２の維持パルスが９発とすると、ＳＦ２の維持期間は９×５μｓ＝４５μｓ、壁電圧調整期間（ＳＦ２の消去期間＋ＳＦ３の初期化期間）は１５０μｓであって、ＳＦ２の維持期間の方が短い。したがって、第２駆動方式を選択し、第２の表示電極対グループIIでは、ＳＦ２における書込み期間を続行する。
【００７５】
第２の表示電極対グループIIのＳＦ２における書込み動作が２１６０ライン目の放電セルまで終了した後、全ての放電セルに対して一斉に維持期間を開始する。すなわち、走査電極ＳＣ１〜ＳＣ２１６０及び維持電極ＳＵ１〜ＳＵ２１６０に、９発の維持パルスを交互に印加して、書込み放電を行った放電セルを発光させる。
【００７６】
維持期間終了後の消去期間では、走査電極ＳＣ１〜ＳＣ２１６０と維持電極ＳＵ１〜ＳＵ２１６０との間に、いわゆる細幅パルス状の電圧差を与えて、データ電極Ｄｋ上の正の壁電圧を残したまま、走査電極ＳＣｉ上及び維持電極ＳＵｉ上の壁電圧を消去する。
【００７７】
消去期間終了後、ＳＦ３における初期化期間を開始する。維持電極ＳＵ１〜ＳＵ２１６０に、正の電圧Ｖｅ１を印加し、走査電極ＳＣ１〜ＳＣ２１６０には、電圧Ｖｓから電圧Ｖ４に向かって緩やかに下降する傾斜波形電圧を印加する。この傾斜波形電圧が下降する間、走査電極ＳＣ１〜ＳＣ２１６０と維持電極ＳＵ１〜ＳＵ２１６０との間、及び、走査電極ＳＣ１〜ＳＣ２１６０とデータ電極Ｄ１〜Ｄｍとの間で、微弱な初期化放電が発生する。これにより、走査電極ＳＣ１〜ＳＣ２１６０上の負の壁電圧及び維持電極ＳＵ１〜ＳＵ２１６０上の正の壁電圧が弱められるとともに、データ電極Ｄ１〜Ｄｍ上の正の壁電圧は書込み動作に適した値に調整される。
【００７８】
その後、走査電極ＳＣ１〜ＳＣ２１６０に電圧Ｖｃを印加して、ＳＦ２で維持放電した放電セルに対して初期化放電を行う初期化動作を終了する。
【００７９】
以降同様に、第１の表示電極対グループＩのＳＦ３における書込み期間を開始し、ＳＦ３の維持期間とこの維持期間と次のサブフィールドの書込み期間との間の壁電圧調整期間（ＳＦ３の消去期間＋ＳＦ４の初期化期間）とを比較して、第１駆動方式又は第２駆動方式のいずれか一方を選択する。最後のＳＦ１０では第２駆動方式を選択して、１フィールドの期間を終了する。
【００８０】
なお、図示していないが、次のフィールドの全セル初期化期間における放電をより安定化させるため、ＳＦ１０の消去期間とＳＦ１の全セル初期化期間の間に、初期化期間を設けても良い。
【００８１】
また、電圧Ｖｅ２と電圧Ｖｅ１は近い電圧であるため、駆動回路の簡素化のためにＶｅ２をＶｅ１に置き換えても良い。
【００８２】
このように、本実施の形態１においては、１フィールドに含まれる複数のサブフィールド毎に、維持期間とこの維持期間と次のサブフィールドの書込み期間との間の壁電圧調整期間（消去期間＋初期化期間）とを比較して、第１駆動方式又は第２駆動方式のいずれかを選択可能としたことによって、駆動時間の短縮を図ることができる。
【００８３】
＜変形例＞
図６は、本発明の実施の形態１におけるランプ形状の消去波形を印加する場合の駆動電圧の波形図である。図６に示すように、走査電極ＳＣｉに対して、消去期間で電圧Ｖ５まで緩やかに上昇する傾斜波形電圧を印加し、次の初期化期間で電圧Ｖ４まで緩やかに下降する傾斜波形電圧を印加する。この方法によれば、消去期間に要する時間は、図５よりも増加するものの、各電極上の壁電圧をさらに精度よく制御し、次のサブフィールドでの書込み放電を微小化して、放電セル間の放電クロストークを抑えることができる。
【００８４】
図７は、本発明の実施の形態１における別の駆動電圧波形のサブフィールド構成図である。図３では、ＳＦ１〜ＳＦ１０毎に維持パルス数が減少していく降順並びであったが、図７では、最後のＳＦ１０は維持パルス数が最小で変わらないものの、ＳＦ１〜ＳＦ９では維持パルス数（維持期間）がサブフィールド毎に増加していく昇順並びとなっている。この方法によって得られる効果を以下に説明する。
【００８５】
元来、プラズマディスプレイは初期化放電してから次の書込み放電まで待ち時間が長ければ長いほど、初期化放電で蓄積された壁電荷が消滅し、書込み不良が発生しやすくなるため、初期化放電してすぐに書込み放電を行う方が良い。維持パルス数が降順並びであると、輝度重みが大きいサブフィールドではすぐに書込み放電が行われるが、輝度重みが小さいサブフィールドでは書込み放電まで待ち時間が長く、書込み不良が発生しやすくなる。一方、図７のように、維持パルス数を昇順並びにすると、輝度重みが小さいサブフィールドが初期化放電してすぐに書込み放電できるため、安定して書込み放電を行うことができる。
また、図７では、輝度重みが大きい（維持パルス数が多い）サブフィールドが点灯する際は、必ず輝度重みが小さい（維持パルス数が少ない）サブフィールドを１つ以上点灯するように、サブフィールド信号処理をする。この方法によれば、輝度重みが大きいサブフィールドも、輝度重みが小さいサブフィールドも、初期化放電してすぐに書込み放電を行うことができるため、安定して書込み放電を行うことができる。
【００８６】
なお、図３及び図７に示すように、最も点灯する可能性が高い、輝度重みが最小となるサブフィールドを最後のＳＦ１０に配置したのは、（１）駆動時間を短縮するため、（２）最低輝度は点灯不良が起きても目立たないため、（３）ＳＦ１０の直後に全セル初期化期間を設けることで、低階調特性を向上するために駆動マージンを削って最低輝度を下げる手段が使用できるため、である。
【００８７】
以上のように全セル初期化期間の直前に（Ｐ（Ｐは整数）番目の１フィールドの全セル初期化期間とした場合、Ｐ−１番目の１フィールドにおける最後のサブフィールドＳＦＭに）、輝度重み最小のサブフィールドを配置するサブフィールド構成は従来から存在していた。しかし、従来は最初のＳＦ１に輝度重み最小のサブフィールドを配置しているのに対し、図７は最後のＳＦ１０に配置している。この方法によれば、従来よりも全セル初期化放電してから輝度重み最小のサブフィールドの書込み放電までの待ち時間が短縮され、輝度重み最小のサブフィールドの書込み放電を安定して行うことができる。
【００８８】
図８は、本発明の実施の形態１における別の駆動電圧波形のサブフィールド構成図である。図３と図７では、維持期間の直後に消去期間を設けた場合を示したが、図８では、書込み期間の直前に消去期間と初期化期間を設けた場合を示している。この方法によれば、初期化放電してから次の書込み放電までの待ち時間が短縮され、書込み放電を安定して行うことができる。
【００８９】
図９は、本発明の実施の形態１における別の駆動電圧波形のサブフィールド構成図である。図９では、図８と同様、書込み期間の直前に消去期間と初期化期間を設け、かつ、第１の表示電極対グループＩが消去期間と初期化期間であるときに第２の表示電極対グループIIで維持動作を行い、第２の表示電極対グループIIが消去期間と初期化期間であるときに第１の表示電極対グループＩで維持動作を行う。なお、維持動作を行う期間は、他方の表示電極対グループが消去期間と初期化期間のどちらか一方の期間でもよい。この方法によれば、１フィールドにさらに維持パルス数を増加することができるため、輝度や階調性をさらに向上させることができる。
【００９０】
図１０は、本発明の実施の形態１における別の駆動電圧波形のサブフィールド構成図である。ＰＤＰは全セル初期化放電後のアドレス放電が強く、放電セル間で放電クロストークが発生しやすいという課題を有している。そこで、図１０では、図７における最初のＳＦ１と最後のＳＦ１０の輝度重みを入れ替え、最初のＳＦ１を輝度重み最小のサブフィールド、最後のＳＦ１０を２番目に輝度重みが小さいサブフィールドとしている。このようなサブフィールド構成とし、かつ、ＳＦ２以降を点灯する際にＳＦ１を必ず点灯する（言い換えれば、０階調以外は全てＳＦ１を点灯する）ことによって、低輝度階調の表現力の低下を最小限にしながら放電セル間の放電クロストークを抑えることができる。なお、この方法に図８や図９の方法を適用することもできる。
【００９１】
また、図３、図７〜図９に示したように、１フィールド中の各サブフィールドＳＦ１〜ＳＦ１０の維持期間を、単純な昇順や降順にするか、若しくは、最後のＳＦ１０に輝度重み最小のサブフィールドを配置してそれ以外のＳＦ１〜ＳＦ９は昇順にするという配置方法の他に、１フィールド中で昇順が２回行われる場合（以下、２回昇順と呼ぶ。）や降順が２回行われる場合（以下、２回降順と呼ぶ。）であってもよい。これにより、全セル初期化放電してから各サブフィールドの書込み放電までの待ち時間が均一化され、各サブフィールドの書込み放電の安定化が期待される。
【００９２】
例えば、２回昇順の例として、各サブフィールドの維持パルスの数が、最初のＳＦ１から最後のＳＦ１０の順に、「１」、「２」、「４」、「１１」、「２２」、「４４」、「５」、「７」、「２０」、「４２」となる。また、この場合、１回目の昇順の配列の最初（１回目の昇順の配列の中で輝度重み最小）となるＳＦ１と、２回目の昇順の配列の最初（２回目の昇順の配列の中で輝度重み最小）となるＳＦ７を常時点灯（但し、０階調すなわち全黒表示以外の画面で実施するようにする。）するようにしてもよい。
【００９３】
また、２回昇順のその他の例として、最後のＳＦ１０を輝度重み最小のサブフィールドとしてもよい。上記の例を用いると、各サブフィールドの維持パルスの数が、最初のＳＦ１から最後のＳＦ１０の順に、「２」、「４」、「１１」、「２２」、「４４」、「５」、「７」、「２０」、「４２」、「１」となる。また、この場合、２回目の昇順の配列の中で２番目に輝度重みが小さいサブフィールドであるＳＦ７を常時点灯するようにしてもよい。
【００９４】
また、２回降順の例として、各サブフィールドの維持パルスの数が、最初のＳＦ１から最後のＳＦ１０の順に、「４４」、「２２」、「１１」、「４」、「２」、「１」、「４２」、「２０」、「７」、「５」となる。
【００９５】
＜プラズマディスプレイ装置１００の構成＞
図１１は、本発明の実施の形態１におけるプラズマディスプレイ装置１００の回路ブロック図である。図１１に示すように、本実施の形態１におけるプラズマディスプレイ装置１００は、ＰＤＰ１０、画像信号処理回路４１、データ電極駆動回路４２、走査電極駆動回路４３ａ及び４３ｂ、維持電極駆動回路４４ａ及び４４ｂ、タイミング発生回路４５、駆動方式選択回路４６、及び、各回路ブロックに必要な電源を供給する電源回路（図示せず）を備えている。尚、本発明に係る制御回路は、画像信号処理回路４１、タイミング発生回路４５、駆動方式選択回路４６により実現される。
【００９６】
画像信号処理回路４１は、入力された画像信号を、タイミング発生回路４５からのタイミング信号に基づいて、サブフィールド毎の発光・非発光を示す画像データに変換する。データ電極駆動回路４２は、データ電極Ｄ１〜Ｄｍのそれぞれに書込みパルス電圧Ｖｄ又は０Ｖを印加するためのｍ個のスイッチを備えており、画像信号処理回路４１から出力された画像データを各データ電極Ｄ１〜Ｄｍに対応する書込みパルスに変換し、各データ電極Ｄ１〜Ｄｍに印加する。
【００９７】
駆動方式選択回路４６は、画像信号処理回路４１から送信された各サブフィールドの維持パルス数に基づいて各サブフィールドの維持期間を演算して出力する演算部（図示せず）と、１フィールド中に含まれる複数のサブフィールドの順に、当該演算部により出力された維持期間とこの維持期間と次のサブフィールドの書込み期間との間の壁電圧調整期間（消去期間＋初期化期間）とを比較して、サブフィールド毎の駆動方式として第１駆動方式又は第２駆動方式のいずれか一方を選択する選択部（図示せず）を有する。
【００９８】
タイミング発生回路４５は、水平同期信号、垂直同期信号及び駆動方式選択情報に基づいて、画像信号処理回路４１、データ電極駆動回路４２、走査電極駆動回路４３ａ及び４３ｂ、維持電極駆動回路４４ａ及び４４ｂの動作を制御する各種のタイミング信号を発生して、各回路へ送信する。具体的には、タイミング発生回路４５は、垂直同期信号Ｖから一定時間経過した時点でフィールド開始信号を生成し、このフィールド開始信号を起点に各サブフィールドの初期化期間、書込み期間、維持期間、消去期間の開始を指示するタイミング信号を生成する。さらに、各期間の開始を指示するタイミング信号を起点としてクロックをカウントすることにより、各駆動回路４１、４２、４３ａ、４３ｂ、４４ａ、４４ｂに、パルス発生のタイミングを指示するタイミング信号を生成して供給する。
【００９９】
走査電極駆動回路４３ａは、タイミング発生回路４５から送信されたタイミング信号に基づいて、第１の表示電極対グループＩの走査電極ＳＣ１〜ＳＣ１０８０を駆動し、走査電極駆動回路４３ｂは、タイミング発生回路４５から送信されたタイミング信号に基づいて、第２の表示電極対グループIIの走査電極ＳＣ１０８１〜ＳＣ２１６０を駆動する。また、維持電極駆動回路４４ａは、タイミング発生回路４５から供給されたタイミング信号に基づいて、第１の表示電極対グループＩの維持電極ＳＵ１〜ＳＵ１０８０を駆動し、維持電極駆動回路４４ｂは、タイミング発生回路４５から供給されたタイミング信号に基づいて、第２の表示電極対グループIIの維持電極ＳＵ１０８１〜ＳＵ２１６０を駆動する。
【０１００】
図１２は、本発明の実施の形態１におけるプラズマディスプレイ装置１００の走査電極駆動回路４３ａの回路図である。図１２に示すように、本実施の形態１におけるプラズマディスプレイ装置１００の走査電極駆動回路４３ａは、維持パルス発生回路５０、初期化パルス発生回路６０、走査パルス発生回路７０を備えている。なお、走査電極駆動回路４３ｂは、走査電極駆動回路４３ａと同様の構成であるため、説明を省略する。
【０１０１】
維持パルス発生回路５０は、走査電極ＳＣ１〜ＳＣ１０８０に維持パルスを印加する回路であって、電力回収部５０ａを構成する電力回収用のコンデンサＣ５１、スイッチング素子Ｑ５１及びＱ５２、逆流防止用のダイオードＤ５１及びＤ５２、共振用のインダクタＬ５１、電圧クランプ部を構成するスイッチング素子Ｑ５５及びＱ５６を有する。
【０１０２】
電力回収部５０ａでは、表示電極対２４である走査電極２２と維持電極２３との間の電極間容量ＣとインダクタＬ５１とをＬＣ共振させて、維持パルスの立ち上がり及び立ち下がりを行う。維持パルスの立ち上がり時には、電力回収用のコンデンサＣ５１に蓄えられている電荷を、スイッチング素子Ｑ５１、ダイオードＤ５１、及び、インダクタＬ５１を介して、電極間容量Ｃに移動させる。維持パルスの立ち下がり時には、電極間容量Ｃに蓄えられた電荷を、インダクタＬ５１、ダイオードＤ５２、及び、スイッチング素子Ｑ５２を介して、電力回収用のコンデンサＣ５１に戻す。このように、電力回収部５０ａは、電源から電力を供給されることなく、ＬＣ共振によって表示電極対２４の駆動を行うことができるため、理想的には消費電力が０となる。なお、電力回収用のコンデンサＣ５１は、電極間容量Ｃと比べて十分大きい容量を持ち、電力回収部５０ａの電源として働くように、維持パルス電圧Ｖｓの約半分（Ｖｓ／２）が充電されている。
【０１０３】
なお、電力回収部５０ａは、表示電極対グループ毎に設ける必要はなく、１つでもよい。ただし、維持パルスの立ち上がり及び立ち下がりはＬＣ共振させて行っているため、第１駆動方式による維持期間と第２駆動方式による維持期間とでは、ＰＤＰ１０の電極間容量Ｃが異なることを考慮して、第２駆動方式のサブフィールドでは、第１駆動方式のサブフィールドに比べて維持パルスの立ち上がりと立ち下がり時間が長くなるように、タイミング発生回路４５を調整する。具体的には、表示電極対グループの数をＮとした時、第２駆動方式の立ち上がり時間は第１駆動方式の立ち上がり時間の約√Ｎ倍とすればよい。立ち下り時間も同様に、第２駆動方式は第１駆動方式の約√Ｎ倍とすればよい。
【０１０４】
電圧クランプ部では、スイッチング素子Ｑ５５を介して駆動する表示電極対２４を電源に接続し、維持パルス電圧Ｖｓにクランプする。また、スイッチング素子Ｑ５６を介して駆動する表示電極対２４を接地し、０Ｖにクランプする。したがって、電圧クランプ部による電圧印加時のインピーダンスは小さく、強い維持放電による大きな放電電流を安定して流すことができる。
【０１０５】
このように、維持パルス発生回路５０では、スイッチング素子Ｑ５１、Ｑ５２、Ｑ５５、Ｑ５６を制御することによって、走査電極ＳＣ１〜ＳＣ１０８０に維持パルス電圧Ｖｓを印加する。なお、上記スイッチング素子は、ＭＯＳＦＥＴやＩＧＢＴ等の、一般に知られた素子を用いて構成することができる。また、維持パルス発生回路５０は、表示電極対グループ毎に２分割する必要はなく、１つにまとめてもよい。
【０１０６】
初期化パルス発生回路６０は、初期化期間において、走査電極ＳＣ１〜ＳＣ１０８０に緩やかに上昇する傾斜波形電圧を印加するためのミラー積分回路６１と、緩やかに下降する傾斜波形電圧を印加するためのミラー積分回路６２と、スイッチング素子Ｑ６３及びＱ６４とを備えている。スイッチング素子Ｑ６３及びＱ６４は、分離スイッチであり、維持パルス発生回路５０及び初期化パルス発生回路６０を構成するスイッチング素子の寄生ダイオードを介して電流が逆流するのを防止するために設けられている。
このような初期化パルス発生回路６０によって、正の電圧Ｖ２あるいは負の電圧Ｖ４に向かう傾斜波形電圧を走査電極ＳＣ１〜ＳＣ１０８０に一括して印加することができる。
【０１０７】
走査パルス発生回路７０は、必要に応じて走査パルス電圧Ｖａを走査電極ＳＣ１〜ＳＣ１０８０にそれぞれ印加するためのスイッチング素子Ｑ７１Ｈ１及びＱ７１Ｌ１〜Ｑ７１Ｈ１０８０及びＱ７１Ｌ１０８０を有する（例えば、走査電極ＳＣ２に印加するためのスイッチング素子はＱ７１Ｈ２及びＱ７１Ｌ２である）。走査パルス発生回路７０では、走査電極ＳＣ１〜ＳＣ１０８０に、上述したタイミングで走査パルス電圧Ｖａを順次印加する。
【０１０８】
図１３は、本発明の実施の形態１におけるプラズマディスプレイ装置１００の維持電極駆動回路４４ａの回路図である。図１３に示すように、本実施の形態１におけるプラズマディスプレイ装置１００の維持電極駆動回路４４ａは、維持パルス発生回路８０、一定電圧発生回路９０を備えている。なお、維持電極駆動回路４４ｂは、維持電極駆動回路４４ａと同様の構成であるため、説明を省略する。
【０１０９】
維持パルス発生回路８０は、維持電極ＳＵ１〜ＳＵ１０８０に維持パルスを印加する回路であって、電力回収部８０ａを構成する電力回収用のコンデンサＣ８１、スイッチング素子Ｑ８１及びＱ８２、逆流防止用のダイオードＤ８１及びＤ８２、共振用のインダクタＬ８１、電圧クランプ部を構成するスイッチング素子Ｑ８５及びＱ８６を有する。なお、維持パルス発生回路８０は、維持パルス発生回路５０と同様の構成であるため、詳細な動作説明は省略する。
【０１１０】
一定電圧発生回路９０は、スイッチング素子Ｑ９１及びＱ９２、逆流防止用のダイオードＤ９１及びＤ９２を有する。一定電圧発生回路９０では、初期化期間において、スイッチング素子Ｑ９１と逆流防止用のダイオードＤ９１を介して、正の電圧Ｖｅ１を維持電極ＳＵ１〜ＳＵ１０８０に印加する。また、書込み期間において、スイッチング素子Ｑ９２と逆流防止用のダイオードＤ９２を介して、正の電圧Ｖｅ２を維持電極ＳＵ１〜ＳＵ１０８０に印加する。
【０１１１】
なお、本実施の形態１においては、ＰＤＰ１０を上下方向に２分割して、２つの表示電極対グループに分けた例を説明したが、本発明はこれに限定されることはなく、表示電極対グループの数は、維持期間において表示電極対２４に印加する最大の維持パルス数に基づいて決めることが望ましい。
【０１１２】
（実施の形態２）
図１４は、本発明の実施の形態２におけるＰＤＰ１０の電極配列図である。本実施の形態２においては、ＰＤＰ１０を上下方向に４分割して、４つの表示電極対グループに分け、ＰＤＰ１０の上部から順に、第１の表示電極対グループＩ（走査電極ＳＣ１〜ＳＣ５４０及び維持電極ＳＵ１〜ＳＵ５４０）、第２の表示電極対グループII（走査電極ＳＣ５４１〜ＳＣ１０８０及び維持電極ＳＵ５４１〜ＳＵ１０８０）、第３の表示電極対グループIII（走査電極ＳＣ１０８１〜ＳＣ１６２０及び維持電極ＳＵ１０８１〜ＳＵ１６２０）、第４の表示電極対グループIV（走査電極ＳＣ１６２１〜ＳＣ２１６０及び維持電極ＳＵ１６２１〜ＳＵ２１６０）とする。
【０１１３】
図１５は、図１４に対応した本発明の実施の形態２における駆動電圧波形のサブフィールド構成図である。図１５に示すように、表示電極対グループの数を増やすことで、維持期間において表示電極対２４に印加する維持パルス数を増やすことができ、ＰＤＰ１０の発光輝度を高めることができる。
【０１１４】
また、本実施の形態２における駆動方法は、消去期間と初期化期間を次のサブフィールドの書込み期間の直前に設けている。また、第１駆動方式が選択されたサブフィールドにおいて、初期化期間及び消去期間を除く期間で、複数の表示電極対グループのうちいずれかで連続して書込み動作を行うように駆動する。加えて、維持期間が消去期間の直前で終了するように、書込み期間と維持期間との間に、放電を発生させない期間を設けている。さらに、本実施の形態２における駆動方法は、第１駆動方式が選択されたサブフィールドにおいて、消去期間又は初期化期間、若しくは、消去期間及び初期化期間に、複数の表示電極対グループのうちいずれかで維持動作を行うように駆動する。この方法によれば、維持放電で発生したプライミングを利用して消去放電を行うことができ、安定した消去動作を行うことができる。
【０１１５】
（実施の形態３）
実施の形態１及び２では、ＰＤＰ１０の駆動方式を、第１駆動方式と第２駆動方式との間で選択する駆動方式選択回路４６と備えているが、本発明の実施の形態３では、この駆動方式選択回路４６が省略されている。そして、駆動方式選択回路４６の代わりに、画像信号処理回路４１がＬＵＴ（ルックアップテーブル）を内蔵していて、このＬＵＴに、個々のサブフィールドを第１駆動方式と第２駆動方式とのいずれの方式で駆動するかが、予め記憶されている。つまり、本発明に係る制御回路は、画像信号処理回路４１、タイミング発生回路４５により実現される。ＰＤＰ１０の駆動方式を第１駆動方式と第２駆動方式とのいずれにするかは、実施の形態１及び２と同じ基準によって決定される。また、本実施の形態３では、１フィールド期間中に、第１駆動方式で駆動するサブフィールドと第２駆動方式で駆動するサブフィールドとの双方を含んでいる。このような本実施の形態３によれば、実施の形態１及び２に比べて、ＰＤＰ１０の駆動制御が簡略化され、ＰＤＰ１０の周辺回路の構成が簡素化される。
【０１１６】
（実施の形態４）
本発明の実施の形態４は、各サブフィールドの維持期間を特定の範囲に設定する形態を例示するものである。
【０１１７】
具体的には、本実施の形態４では、表示電極対グループの数をＮ、全ての放電セルで１回の書込み動作を行うために必要な時間をＴｗとし、各表示電極対グループのサブフィールドにおける維持期間を、Ｔｗ×（Ｎ−１）／Ｎ以下の範囲で、サブフィールドの輝度重みに応じて設定する。言い換えると、本実施の形態４では、Ｔｓ（輝度重み最大のサブフィールドの維持期間に割り当てる時間）≦Ｔｗ×（Ｎ−１）／Ｎの不等式を満たすように維持期間を設定する。
【０１１８】
上記のＴｗは、パネル全体に存在する複数の表示電極対に対して順次書込みを行うシングルスキャン方式によって１回の書込み動作を行うために必要な時間を指す。このシングルスキャン方式では、複数の表示電極対グループの各々に対する書込み期間は互いに重なることがない。即ち、同時に２つ以上の表示電極対グループに対して書込みが行われない。
【０１１９】
図１６は、本実施の形態４の駆動方法及び表示電極対グループの数の設定方法について説明する図であって、ＰＤＰ１０の走査電極ＳＣ１〜ＳＣ２１６０に印加する１フィールド期間の駆動電圧波形を模式的に示した図である。
【０１２０】
図１６（ａ）〜図１６（ｄ）において、縦軸は走査電極ＳＣ１〜ＳＣ２１６０を示し、横軸は時間を示している。また、書込み動作を行うタイミングを実線で示し、維持期間及び壁電圧調整期間のタイミングはハッチングで示している。
【０１２１】
図１６（ａ）〜図１６（ｄ）から明らかなように、本実施の形態４では、ＰＤＰ１０を第１駆動方式で駆動すると仮定して、維持期間及び表示電極対グループの数を設定する。そして、この設定された条件下で、実施の形態１乃至３に述べたように、維持期間の長さと壁電圧調整期間の長さとの比較結果に基づいて、第１駆動方式と第２駆動方式とが選択（実施の形態３では決定）される。
【０１２２】
具体的には、１フィールド期間を１６．７ｍｓとし、１走査電極１本あたりの書込み動作に要する時間を０．７μｓとすると、走査電極の数が２１６０本であるため、全ての走査電極で書込み動作を１回行うのに必要な時間Ｔｗは、０．７×２１６０＝１５１２μｓ（約１．５ｍｓ）である。また、表示電極対グループ数Ｎ＝２として、ＰＤＰ１０の上半分に位置する表示電極対を第１の表示電極対グループＩとし、ＰＤＰ１０の下半分に位置する表示電極対を第２の表示電極対グループＩＩとする。すなわち、１０８０本の走査電極ＳＣ１〜ＳＣ１０８０及び１０８０本の維持電極ＳＵ１〜ＳＵ１０８０が第１の表示電極対グループＩに属しており、１０８０本の走査電極ＳＣ１０８１〜ＳＣ２１６０及び１０８０本の維持電極ＳＵ１０８１〜ＳＵ２１６０が第２の表示電極対グループＩＩに属している。
【０１２３】
まず、図１６（ａ）に示すように、１フィールド期間の最初に、ＰＤＰ１０全体の放電セルで一斉に初期化放電を発生させる全セル初期化期間を設けている。ここでは、全セル初期化期間に要する時間を５００μｓとする。
【０１２４】
次に、図１６（ｂ）に示すように、走査電極ＳＣ１〜ＳＣ２１６０に走査パルスを順次印加するのに要する時間Ｔｗを見積もる。このとき、連続して書込み動作を行われるように走査パルスを可能な限り短く、かつ可能な限り連続して印加することが好ましい。
次に、１フィールド内に設けるサブフィールド数を見積もる。ここでは、壁電圧調整期間に要する時間はわずかなのでこれを無視して見積もると、１フィールド期間（１６．７ｍｓ）から全セル初期化期間（０．５ｍｓ）を引いて、全ての走査電極で書込み動作を１回行うために必要な時間（１．５ｍｓ）で割った値（１６．７−０．５）／１．５＝１０．８が、１フィールド内に設定できるサブフィールドの数に相当する。従って、図１６（ｃ）に示すように、１フィールド内で最大１０個のサブフィールド（ＳＦ１、ＳＦ２、・・・、ＳＦ１０）を設定することができる。
【０１２５】
次に、図１６（ｄ）に示すように、２つの表示電極対グループに属する走査電極の書込みの後に、維持パルスを印加する維持期間を設ける。例えば、１０サブフィールドの各々において、「６０」、「４４」、「３０」、「１８」、「１１」、「６」、「３」、「２」、「１」、「１」の維持パルスを印加することとする。
【０１２６】
維持パルス幅（周期）を１０μｓとすると、最も輝度重みの大きいサブフィールド「６０」において維持期間に割り当てられる時間は６００μｓとなる。この場合、Ｎ＝２、Ｔｗ＝１５１２μｓ、Ｔｓ＝６００μｓであるので、Ｔｗ×（Ｎ−１）／Ｎ＝７５６≧６００となり、上記のＴｗ×（Ｎ−１）／Ｎ≧Ｔｓが満たされる。
【０１２７】
以上のように、ＰＤＰ１０の表示電極対グループの数Ｎや、各表示電極対グループにおけるサブフィールドの時間設定等を行うことができる。
【０１２８】
上記駆動方法によれば、各表示電極対グループにおける各サブフィールドの維持期間を、Ｔｗ×（Ｎ−１）／Ｎ以下の範囲でサブフィールドの輝度重みに応じて設定しているので、全セル初期化期間の後に、いずれかの表示電極対グループで連続して書込み動作を行うように走査パルス及び書込みパルスを配置することができる。その結果、１フィールド期間内に１０個のサブフィールド、すなわち１フィールド期間内に設定可能な最大数のサブフィールド数を設定することができる。
【０１２９】
尚、ライン数の少ないＰＤＰでは、全ての走査電極で書込み動作を１回行うために必要な時間Ｔｗが短いので、各サブフィールドにおいてＴｗ×（Ｎ−１）／Ｎ以下の範囲内で設定可能な維持期間は短くなる。しかし、ライン数１０８０本以上の高精細ＰＤＰにおいては、全ての走査電極で書込み動作を１回行うために必要な時間Ｔｗが長くなり、Ｔｗ×（Ｎ−１）／Ｎの時間、ひいては、各サブフィールドに割り当て可能な維持期間の最大時間Ｔｓも長くなる。従って、本実施形態の駆動方法は、高精細ＰＤＰを駆動する場合に特に有用である。
【０１３０】
図１７は、駆動電圧波形のサブフィールド構成を示す模式図であり、縦軸は走査電極ＳＣ１〜ＳＣ２１６０を示し、横軸は時間を示している。また、書込み動作を行うタイミングを実線で示し、維持期間及び壁電圧調整期間のタイミングはハッチングで示している。
【０１３１】
図１７（ａ）は維持期間の直後に壁電圧調整期間を設けた場合の駆動電圧波形を示しており、第１の表示電極対グループIが壁電圧調整期間であるときには第２の表示電極対グループＩＩの書込み動作を制限し、第２の表示電極対グループＩＩが壁電圧調整期間であるときには第１の表示電極対グループの書込み動作を制限する。
【０１３２】
図１７（ｂ）は書込み期間の直前に、前のサブフィールドの壁電圧調整期間を設けた場合の駆動電圧波形を示しており、第１の表示電極対グループＩが壁電圧調整期間であるときには第２の表示電極対グループＩＩの書込み動作を制限し、第２の表示電極対グループＩＩが壁電圧調整期間であるときには第１の表示電極対グループＩの書込み動作を制限する。
【０１３３】
このように、いずれかの表示電極対グループが壁電圧調整期間であるときに書込み動作を制限する場合には、壁電圧調整期間に要する時間を見込んでサブフィールド構成及び表示電極対のグループ数Ｎを設定すればよい。
【０１３４】
また、１フィールドの最初に各放電セルで初期化放電を発生させる全セル初期化期間を設け、且つ各表示電極対グループの各サブフィールドの維持期間の後に、壁電圧を調整する壁電圧調整期間を設けることが好ましい。これにより、仮にサブフィールド毎に全セル初期化期間を設ける場合と対比すると、１フィールド内に占める全セル初期化期間を短縮することができるので、１フィールド内に設定するサブフィールド数を増やすのに寄与する。
【０１３５】
また、上記の全セル初期化期間において、複数の表示電極対を構成する各走査電極に対して一括して初期化パルスを印加することが好ましい。これにより、サブフィールド毎に全セル初期化期間を設けなくても、維持期間と書込み期間の間に設けた壁電圧調整期間において各放電セルの壁電圧を十分に調整することができる。
【０１３６】
また、１フィールド期間に含まれる複数のサブフィールドの中で、輝度重みの最も小さいサブフィールドを最後に配置することが好ましい。最後のサブフィールドの時間の長さを短縮できるので、１フィールド内に設定するサブフィールド数を増やすのに寄与する。
上記実施の形態１乃至４において用いた各数値は、単に一例を挙げたに過ぎず、ＰＤＰ１０の特性やプラズマディスプレイ装置１００の仕様等に合わせて、適宜最適な値に設定することが望ましい。
【０１３７】
また、上記実施の形態１乃至４においては、２１６０ラインに順次書込みを行うシングルスキャン方式で駆動する例について説明したが、例えば、４３２０ラインを備える公知のデュアル駆動方式のＰＤＰにおいて、分割された２つの各領域に対して、上記の実施の形態で説明した駆動方法を適用することもできる。これにより、４３２０ラインの超高精細ＰＤＰを実現することができる。その場合、領域毎に駆動回路が必要となるが、比較的容易に超高精細ＰＤＰを実現することができる。
【０１３８】
また、上記実施の形態１乃至４で説明した駆動方法を、全てのフィールドに適用するのではなく、一部のフィールドのみに適用してもよいことは言うまでもない。
【０１３９】
また、上記実施の形態１及び２において、ＰＤＰ１０の駆動方式における第１駆動方式と第２駆動方式との選択を、一部のサブフィールドのみで行ってもよいことは言うまでもない。
【０１４０】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０１４１】
本発明に係るプラズマディスプレイパネルの駆動方法及びプラズマディスプレイ装置によれば、２１６０ライン以上の超大型・超高精細のプラズマディスプレイパネルであっても、画質を確保するための十分なサブフィールド数を確保することができ、十分な輝度で駆動することができるので、高精細のプラズマディスプレイ装置を高輝度で駆動する上で有用である。
【符号の説明】
【０１４２】
１０    ＰＤＰ
２１    前面基板
２２    走査電極
２２ａ、２３ａ    透明電極
２２ｂ、２３ｂ    バス電極
２３    維持電極
２４    表示電極対
２５、３３    誘電体層
２６    保護層
３１    背面基板
３２    データ電極
３４    隔壁
３５    蛍光体層
４１    画像信号処理回路
４２    データ電極駆動回路
４３ａ、４３ｂ    走査電極駆動回路
４４ａ、４４ｂ    維持電極駆動回路
４５    タイミング発生回路
４６    駆動方式選択回路
５０、８０    維持パルス発生回路
５０ａ、８０ａ    電力回収部
６０    初期化パルス発生回路
６１、６２    ミラー積分回路
７０    走査パルス発生回路
９０    一定電圧発生回路
１００    プラズマディスプレイ装置
【手続補正２】
【補正対象書類名】特許請求の範囲
【補正対象項目名】全文
【補正方法】変更
【補正の内容】
【特許請求の範囲】
【請求項１】
走査電極と維持電極とから構成された表示電極対が並んで複数配置された第１基板と、前記第１基板と対向するように配置され、かつ複数のデータ電極が並んで複数の前記表示電極対に立体交差するように配置された第２基板とを備え、前記複数の表示電極対と前記複数のデータ電極とが立体交差する位置のそれぞれに放電セルが構成されたプラズマディスプレイパネルの駆動方法であって、
前記複数の表示電極対をＮ（Ｎは２以上の整数）個の表示電極対グループに分割し、
１フィールドを、前記放電セルの書込み放電に備えて前記放電セルの壁電圧を調整する壁電圧調整期間と、画像信号に応じて選択される放電セルを書込み放電させる書込み期間と、書込み放電した放電セルを維持放電させる維持期間と、を有したＭ個（Ｍは２以上の整数）のサブフィールドＳＦＬ（Ｌ＝１〜Ｍ）に分割し、
Ｋ番目のサブフィールドＳＦＫにおける前記維持期間をＴ１と定義し、この維持期間Ｔ１とＫ＋１番目のサブフィールドの前記書込み期間との間の前記壁電圧調整期間をＴ２と定義した場合に、
Ｔ１＞（Ｎ−１）×Ｔ２の場合、前記Ｎ個の表示電極対グループの間で、前記サブフィールドＳＦＫについて前記維持期間及び前記壁電圧調整期間を各表示電極対グループ毎に設定する第１駆動方式とし、
Ｔ１＜（Ｎ−１）×Ｔ２の場合、前記Ｎ個の表示電極対グループの  間で、前記サブフィールドＳＦＫについて前記維持期間及び前記壁電圧調整期間を同期させて設定する第２駆動方式とし、
さらに、前記１フィールドの期間に１回以上、全ての前記放電セルを一斉に初期化放電する全セル初期化期間を有し、
前記全セル初期化期間の直後に配置されるサブフィールドが、１フィールドの期間に含まれるＭ個のサブフィールドＳＦＬ（Ｌ＝１〜Ｍ）の中で輝度重み最小のサブフィールドであり、前記全セル初期化期間の直前に配置されるサブフィールドが、輝度重み最大のサブフィールドではない、プラズマディスプレイパネルの駆動方法。
走査電極と維持電極とから構成された表示電極対が並んで複数配置された第１基板と、前記第１基板と対向するように配置され、かつ複数のデータ電極が並んで複数の前記表示電極対に立体交差するように配置された第２基板とを備え、前記複数の表示電極対と前記複数のデータ電極とが立体交差する位置のそれぞれに放電セルが構成されたプラズマディスプレイパネルの駆動方法であって、
前記複数の表示電極対をＮ（Ｎは２以上の整数）個の表示電極対グループに分割し、
１フィールドを、前記放電セルの書込み放電に備えて前記放電セルの壁電圧を調整する壁電圧調整期間と、画像信号に応じて選択される放電セルを書込み放電させる書込み期間と、書込み放電した放電セルを維持放電させる維持期間と、を有したＭ個（Ｍは２以上の整数）のサブフィールドＳＦＬ（Ｌ＝１〜Ｍ）に分割し、
Ｋ番目のサブフィールドＳＦＫにおける前記維持期間をＴ１と定義し、この維持期間Ｔ１とＫ＋１番目のサブフィールドの前記書込み期間との間の前記壁電圧調整期間をＴ２と定義した場合に、
Ｔ１＞（Ｎ−１）×Ｔ２の場合、前記Ｎ個の表示電極対グループの間で、前記サブフィールドＳＦＫについて前記維持期間及び前記壁電圧調整期間を各表示電極対グループ毎に設定する第１駆動方式とし、
Ｔ１＜（Ｎ−１）×Ｔ２の場合、前記Ｎ個の表示電極対グループの間で、前記サブフィールドＳＦＫについて前記維持期間及び前記壁電圧調整期間を同期させて設定する第２駆動方式とする、プラズマディスプレイパネルの駆動方法。
【請求項２】
前記全セル初期化期間の直前に配置されるサブフィールドが、２番目に輝度重みが小さいサブフィールドである、請求項１記載のプラズマディスプレイパネルの駆動方法。
【請求項３】
走査電極と維持電極とから構成された表示電極対が並んで複数配置された第１基板と、前記第１基板と対向するように配置され、かつ複数のデータ電極が並んで複数の前記表示電極対に立体交差するように配置された第２基板とを備え、前記複数の表示電極対と前記複数のデータ電極とが立体交差する位置のそれぞれに放電セルが構成されたプラズマディスプレイパネルの駆動方法であって、
前記複数の表示電極対をＮ（Ｎは２以上の整数）個の表示電極対グループに分割し、
１フィールドを、前記放電セルの書込み放電に備えて前記放電セルの壁電圧を調整する壁電圧調整期間と、画像信号に応じて選択される放電セルを書込み放電させる書込み期間と、書込み放電した放電セルを維持放電させる維持期間と、を有したＭ個（Ｍは２以上の整数）のサブフィールドＳＦＬ（Ｌ＝１〜Ｍ）に分割し、
Ｋ番目のサブフィールドＳＦＫにおける前記維持期間をＴ１と定義し、この維持期間Ｔ１とＫ＋１番目のサブフィールドの前記書込み期間との間の前記壁電圧調整期間をＴ２と定義した場合に、
Ｔ１＞（Ｎ−１）×Ｔ２の場合、前記Ｎ個の表示電極対グループの間で、前記サブフィールドＳＦＫについて前記維持期間及び前記壁電圧調整期間を各表示電極対グループ毎に設定する第１駆動方式とし、
Ｔ１＜（Ｎ−１）×Ｔ２の場合、前記Ｎ個の表示電極対グループの  間で、前記サブフィールドＳＦＫについて前記維持期間及び前記壁電圧調整期間を同期させて設定する第２駆動方式とし、
前記維持期間に維持放電を発生させる維持パルスの立ち上がり時間及び立ち下がり時間を、前記第２駆動方式が選択されたサブフィールドよりも、前記第１駆動方式が選択されたサブフィールドの方を短くする、プラズマディスプレイパネルの駆動方法。
【請求項４】
走査電極と維持電極とから構成された表示電極対が並んで複数配置された第１基板と、前記第１基板と対向するように配置され、かつ複数のデータ電極が並んで複数の前記表示電極対に立体交差するように配置された第２基板とを備え、前記複数の表示電極対と前記複数のデータ電極とが立体交差する位置のそれぞれに放電セルが構成されたプラズマディスプレイパネルと、
前記複数の表示電極対をＮ（Ｎは２以上の整数）分割したＮ個の表示電極対グループにそれぞれ属する走査電極を駆動するＮ個の走査電極駆動回路と、
前記Ｎ個の表示電極対グループにそれぞれ属する維持電極を駆動するＮ個の維持電極駆動回路と、
前記複数のデータ電極を駆動するデータ電極駆動回路と、
を有し、更に、
１フィールドを、前記放電セルの書込み放電に備えて前記放電セルの壁電圧を調整する壁電圧調整期間と、画像信号に応じて選択される放電セルを書込み放電させる書込み期間と、書込み放電した放電セルを維持放電させる維持期間と、を有したＭ個（Ｍは２以上の整数）のサブフィールドＳＦＬ（Ｌ＝１〜Ｍ）に分割し、
Ｋ番目のサブフィールドＳＦＫにおける前記維持期間をＴ１と定義し、この維持期間Ｔ１とＫ＋１番目のサブフィールドの前記書込み期間との間の前記壁電圧調整期間をＴ２と定義した場合に、
Ｔ１＞（Ｎ−１）×Ｔ２の場合、前記Ｎ個の表示電極対グループの間で、前記サブフィールドＳＦＫについて前記維持期間及び前記壁電圧調整期間を各表示電極対グループ毎に設定する第１駆動方式とし、Ｔ１＜（Ｎ−１）×Ｔ２の場合、前記Ｎ個の表示電極対グループの間で、前記サブフィールドＳＦＫについて前記維持期間及び前記壁電圧調整期間を同期させて設定する第２駆動方式とするよう、前記Ｎ個の走査電極駆動回路、前記Ｎ個の維持電極駆動回路及び前記データ電極駆動回路を制御する制御回路と、
を有し、
前記制御回路は、前記維持期間に維持放電を発生させる維持パルスの立ち上がり時間及び立ち下がり時間を、前記第２駆動方式のサブフィールドよりも、前記第１駆動方式のサブフィールドの方を短くする、プラズマディスプレイ装置。
【請求項５】
前記全セル初期化期間の２つ前に配置されるサブフィールドを、輝度重み最大のサブフィールドとする、請求項１記載のプラズマディスプレイパネルの駆動方法。
【請求項６】
走査電極と維持電極とから構成された表示電極対が並んで複数配置された第１基板と、前記第１基板と対向するように配置され、かつ複数のデータ電極が並んで複数の前記表示電極対に立体交差するように配置された第２基板とを備え、前記複数の表示電極対と前記複数のデータ電極とが立体交差する位置のそれぞれに放電セルが構成されたプラズマディスプレイパネルの駆動方法であって、
前記複数の表示電極対をＮ（Ｎは２以上の整数）個の表示電極対グループに分割し、
１フィールドを、前記放電セルの書込み放電に備えて前記放電セルの壁電圧を調整する壁電圧調整期間と、画像信号に応じて選択される放電セルを書込み放電させる書込み期間と、書込み放電した放電セルを維持放電させる維持期間と、を有したＭ個（Ｍは２以上の整数）のサブフィールドＳＦＬ（Ｌ＝１〜Ｍ）に分割し、
Ｋ番目のサブフィールドＳＦＫにおける前記維持期間をＴ１と定義し、この維持期間Ｔ１とＫ＋１番目のサブフィールドの前記書込み期間との間の前記壁電圧調整期間をＴ２と定義した場合に、
Ｔ１＞（Ｎ−１）×Ｔ２の場合、前記Ｎ個の表示電極対グループの間で、前記サブフィールドＳＦＫについて前記維持期間及び前記壁電圧調整期間を各表示電極対グループ毎に設定する第１駆動方式とし、
Ｔ１＜（Ｎ−１）×Ｔ２の場合、前記Ｎ個の表示電極対グループの  間で、前記サブフィールドＳＦＫについて前記維持期間及び前記壁電圧調整期間を同期させて設定する第２駆動方式とし、
さらに、前記１フィールドの期間に１回以上、全ての前記放電セルを一斉に初期化放電する全セル初期化期間を有し、
前記全セル初期化期間の直前に配置されるサブフィールドが、１フィールドの期間に含まれるＭ個のサブフィールドＳＦＬ（Ｌ＝１〜Ｍ）の中で輝度重み最小のサブフィールドであり、前記全セル初期化期間の直後に配置されるサブフィールドが、２番目に輝度重みが小さいサブフィールドであり、
前記輝度重み最小のサブフィールド以外が点灯する場合、２番目に輝度重みが小さいサブフィールドが点灯する、プラズマディスプレイパネルの駆動方法。
【手続補正３】
【補正対象書類名】図面
【補正対象項目名】全図
【補正方法】変更
【補正の内容】
【図１】
2009139163.tif 000020
【図２】
2009139163.tif 000021
【図３】
2009139163.tif 000022
【図４】
2009139163.tif 000023
【図５】
2009139163.tif 000024
【図６】
2009139163.tif 000025
【図７】
2009139163.tif 000026
【図８】
2009139163.tif 000027
【図９】
2009139163.tif 000028
【図１０】
2009139163.tif 000029
【図１１】
2009139163.tif 000030
【図１２】
2009139163.tif 000031
【図１３】
2009139163.tif 000032
【図１４】
2009139163.tif 000033
【図１５】
2009139163.tif 000034
【図１６】
2009139163.tif 000035
【図１７】
2009139163.tif 000036
【国際調査報告】
2009139163.tif 000037
2009139163.tif 000038
2009139163.tif 000039
2009139163.tif 000040
2009139163.tif 000041
2009139163.tif 000042
2009139163.tif 000043
2009139163.tif 000044